(57)【要約】【課題】　カートリッジに内蔵されないＣＤや、ディジタルビデオディスク（ＤＶＤ）でも、予めディスクの判別を行うことにより、装置の立ち上げ時間を短縮するようにする。また、誤ってＣＤ−Ｒのディスクが装置に挿入された場合でも情報が破壊しないようにする。【解決手段】　マイコン１４７は、ディスクが装填されるとＤＶＤ用の光学系に切り換える。集束レンズ１１０をディスク１００から遠ざけた後、徐々に近づけ、ＦＥ信号、ＥＮＶ信号、ＡＳ１信号の最大値を求める。ＡＳ１信号が所定のレベル以下の場合は、ディスク１００をＣＤ−Ｒのディスクとして判断し、光ディスク装置から排出する。マイコン１４７は、ＥＮＶ／ＡＳ１を演算し、所定の値以下の場合には、ＣＤと判断してＣＤ用の光学系であるアクチュエータ１２７，及び集束レンズ１２６に切り換える。所定の値を越える場合は、ＤＶＤと判断する。【選択図】　　　図１
2004006035.tif 000002
【特許請求の範囲】
【請求項１】
　基材厚の薄いディスク用の光学系と基材厚の厚いディスク用の光学系とを備えた光ディスク装置であって、
　ディスクの情報面より情報を再生する光ビームの焦点を情報面に垂直な方向に移動する移動手段と、
　ディスクからの反射光に基づいて情報再生信号振幅を検出する光検出手段と、
　上記焦点が情報面を通過するように上記移動手段を駆動した際の上記光検出手段の情報再生信号振幅の最大値を求め、前記最大値が、装填されたディスクと用いた光学系が一致した場合に異なる場合に比べ大きくなることに基づいて、装填されたディスクは基材厚の厚いディスクか基材厚の薄いディスクかを判別する判別手段とを備えたことを特徴とする光ディスク装置。
【請求項２】
　基材厚の薄いディスク用の光学系と基材厚の厚いディスク用の光学系とを備えた光ディスク装置であって、
　ディスクの情報面より情報を再生する光ビームの焦点を情報面に垂直な方向に移動する移動手段と、
　ディスクからの反射光を受光する光検出手段と、
　装填されたディスクが基材厚の厚いディスクか基材厚の薄いディスクかを判別する判別手段とを備え、
　上記焦点が情報面を通過するように上記移動手段を駆動して上記光検出手段の出力値の最大値ＡＳ１Ｌｍａｘ，及び情報再生信号振幅の最大値ＥＮＶｍａｘを求め、該ＥＮＶｍａｘとＡＳ１Ｌｍａｘの比が、装填されたディスクと用いた光学系が一致した場合と異なる場合で異なることに基づいて、上記判別手段により、装填されたディスクが基材厚の厚いディスクか基材厚の薄いディスクかを判別するように構成したことを特徴とする光ディスク装置。
【請求項３】
　請求項１または２に記載の光ディスク装置において、
　ディスクの記録情報を再生する光学系を、基材厚の薄いディスク用の光学系としたことを特徴とする光ディスク装置。
【請求項４】
　請求項１または２に記載の光ディスク装置において、
　ディスクからの反射光量が上記光検出手段の出力値が所定の値を超えた場合に、移動手段を制御して焦点の移動速度を遅くするようにしたことを特徴とする光ディスク装置。
【発明の詳細な説明】
【技術分野】
【０００１】
　本発明はコンパクトディスク（以下、ＣＤという）や、ディジタルビデオディスク（以下、ＤＶＤという）等の，複数の種類のディスクを再生可能な光ディスク装置に関する。
【背景技術】
【０００２】
　回転しているディスク上にレーザより発生した光ビームを集束して照射し、ディスク上に記録されている信号を再生する光ディスク装置がある。
【０００３】
　図２５に一般的なＣＤ，即ちコンパクトディスクの拡大図を示す。ディスク上にはピット列Ｐが形成されており、これらがそれぞれトラックを形成している。
【０００４】
　ディスクのこのピットが形成されている面，即ち情報面には反射膜としてアルミニウムが蒸着されている。このディスクに対し、光ビームは、図の下側から照射される。トラックの間隔，即ちトラックピッチは１．６μｍで、トラックはスパイラル状に設けられている。トラックに記録された情報を再生する場合は、光ビームの焦点が、常に情報面，即ちアルミニウムの反射膜のある部分，に位置するようにフォーカシング制御を行うとともに、該光ビームの焦点がトラック上に位置するようにトラッキング制御を行う。上記ディスクの直径は約１２０ｍｍで、その基材厚は１．２ｍｍであり、一方、光ビームの波長は７８０ｎｍである。
【０００５】
　近年、記録密度を高くしたディスク、例えばディジタルの画像データを記録したディジタルビデオディスク（以下、ＤＶＤという。）が提案されている。以下では、記録密度を高くしたディスクの一例として、ＤＶＤを用いて説明する。ただし、本発明では、記録密度を高くしたディスクとしては、このＤＶＤに限られるものではない。
【０００６】
　ＤＶＤは上述したＣＤに比し、記録密度は５倍程度になっている。この記録密度を達成するために、そのトラックピッチを０．７４μｍとするとともに、線記録密度（トラック上の単位長さ当たりのデータの数）を高くしている。上記記録密度の向上に対応するために、光ビームの波長は６５０ｎｍと短くしている。また、ディスクに記録された情報をディスクに傾きがあっても安定に再生するために、その基材厚は０．６ｍｍとしており、該基材厚はＣＤに比し薄くなっている。なお、ディスクの直径はＣＤとほぼ同じである。
【０００７】
　以下では、このディスクを１層式ＤＶＤと言う。ＤＶＤには１層式ＤＶＤのほかに、図２６に示した構造のディスク，即ち２層式ＤＶＤがある。この２層式ＤＶＤにおいても、光ビームは下側から照射され、また、１層式ＤＶＤと同様に、下側から０．６ｍｍのところに情報を記録した面があり、これを以下、第１層という。この第１層には金などの反射膜を用い、その反射率は約３５％と低くしてある。従って、光ビームの一部はこの第１層を透過することとなり、この第１層が、第１の情報面になる。さらにこの第１層の上に、４０μｍの中間層を挟んで情報を記録した面があり、これを以下、第２層という。上記第１層を通過した光ビームは、この第２層で反射され、中間層，第１層，及び基材を通過することとなり、この第２層が、第２の情報面になる。従ってこれにより、第１層と第２層の情報を再生することができる。なお、上記第２層は、アルミニウムなどを用い、その反射率は約９０％である。このディスク，即ち２層式ＤＶＤの記録容量は、１層式ＤＶＤの約２倍になる。この２層式ＤＶＤの第１の情報面を再生する場合には、第１の情報面にフォーカシング制御を行い、第２の情報面を再生する場合には、第１の情報面から第２の情報面に焦点を移動した後に、第２の情報面にフォーカシング制御を行う。
【０００８】
　同一の光ディスク装置でＣＤ，及びＤＶＤを再生する場合に、基板厚みが異なるためにＣＤを再生するための光学系と、ＤＶＤを再生するための光学系とを備え、ディスクに応じて切り換えるようにする必要がある。しかしながら、ＣＤ，及びＤＶＤはともにカートリッジに内蔵されていない場合があり、この場合には、カートリッジに判別用の穴を設け、これによりディスクの判別を行い、これに応じて光学系を切り換える，ということはできない。
【０００９】
　また、１回のみ記録可能なＣＤ−Ｒ（Compact Disk-Rewritable）と呼ばれるディスク（ＣＤ用の光学系に対応している）が、光ディスク装置に装填された場合に、誤ってＤＶＤ用の光学系を用いると、情報が破壊されてしまうことがある。
【００１０】
　この理由は、ＣＤ−Ｒのディスクが一般に記録膜として有機色素系の材料を用いているために、波長６５０ｎｍでの吸収率が高く、該波長６５０ｎｍの光を高度に吸収して、該有機色素系材料が破壊されてしまうからである。
【発明の開示】
【発明が解決しようとする課題】
【００１１】
　上述したように、ＣＤ，及びＤＶＤはカートリッジに内蔵されていない場合があるので、カートリッジに判別用の穴を設け、これによりディスクの判別を行うということはできない。従って、ＣＤであるにもかかわらず、ＤＶＤ用の光学系を用いると、ＣＤとＤＶＤとでは基材厚が異なるために、該ＣＤから正常に情報を再生することができないこととなる。
【００１２】
　本発明は従来の問題点を解決するためになされたもので、カートリッジに内蔵されないＣＤ，あるいはＤＶＤでもディスクの判別を行うことのできる光ディスク装置を提供することを目的とする。
【００１３】
　本発明は上記従来の問題点を解決するためになされたもので、１回のみ記録可能なＣＤ−Ｒと呼ばれるディスクが光ディスク装置に挿入された場合にも、該ＣＤ−ＲとＤＶＤとのディスクの判別を行うことができ、上記ＣＤ−Ｒの有機色素系の材料を破壊してしまうことのない光ディスク装置を提供することを目的とする。
【課題を解決するための手段】
【００１４】
　この発明に係る光ディスク装置は、基材厚の薄いディスク用の光学系と基材厚の厚いディスク用の光学系とを備えた光ディスク装置であって、ディスクの情報面より情報を再生する光ビームの焦点を情報面に垂直な方向に移動する移動手段と、ディスクからの反射光に基づいて情報再生信号振幅を検出する光検出手段と、上記焦点が情報面を通過するように上記移動手段を駆動した際の上記光検出手段の情報再生信号振幅の最大値を求め、前記最大値が、装填されたディスクと用いた光学系が一致した場合に異なる場合に比べ大きくなることに基づいて、装填されたディスクは基材厚の厚いディスクか基材厚の薄いディスクかを判別する判別手段とを備えるようにしたものである。
【００１５】
　また、この発明に係る光ディスク装置は、基材厚の薄いディスク用の光学系と基材厚の厚いディスク用の光学系とを備えた光ディスク装置であって、ディスクの情報面より情報を再生する光ビームの焦点を情報面に垂直な方向に移動する移動手段と、ディスクからの反射光を受光する光検出手段と、装填されたディスクが基材厚の厚いディスクか基材厚の薄いディスクかを判別する判別手段とを備え、上記焦点が情報面を通過するように上記移動手段を駆動して上記光検出手段の出力値の最大値ＡＳ１Ｌｍａｘ，及び情報再生信号振幅の最大値ＥＮＶｍａｘを求め、該ＥＮＶｍａｘとＡＳ１Ｌｍａｘの比が、装填されたディスクと用いた光学系が一致した場合と異なる場合で異なることに基づいて、上記判別手段により、装填されたディスクが基材厚の厚いディスクか基材厚の薄いディスクかを判別するように構成したものである。
【００１６】
　また、この発明に係る光ディスク装置は、前記光ディスク装置において、ディスクの記録情報を再生する光学系を、基材厚の薄いディスク用の光学系としたものである。
【００１７】
　また、この発明に係る光ディスク装置は、前記光ディスク装置において、ディスクからの反射光量が上記光検出手段の出力値が所定の値を超えた場合に、移動手段を制御して焦点の移動速度を遅くするようにしたものである。
【発明の効果】
【００１８】
　この発明に係る光ディスク装置によれば、基材厚の薄いディスク用の光学系と基材厚の厚いディスク用の光学系とを備えた光ディスク装置であって、ディスクの情報面より情報を再生する光ビームの焦点を情報面に垂直な方向に移動する移動手段と、ディスクからの反射光に基づいて情報再生信号振幅を検出する光検出手段と、上記焦点が情報面を通過するように上記移動手段を駆動した際の上記光検出手段の情報再生信号振幅の最大値を求め、前記最大値が、装填されたディスクと用いた光学系が一致した場合に異なる場合に比べ大きくなることに基づいて、装填されたディスクは基材厚の厚いディスクか基材厚の薄いディスクかを判別する判別手段とを備えるようにしたので、簡単な構成で基材厚の薄いディスクと基材厚の厚いディスクとを判別することができる。
【００１９】
　また、この発明に係る光ディスク装置によれば、基材厚の薄いディスク用の光学系と基材厚の厚いディスク用の光学系とを備えた光ディスク装置であって、ディスクの情報面より情報を再生する光ビームの焦点を情報面に垂直な方向に移動する移動手段と、ディスクからの反射光を受光する光検出手段と、装填されたディスクが基材厚の厚いディスクか基材厚の薄いディスクかを判別する判別手段とを備え、上記焦点が情報面を通過するように上記移動手段を駆動して上記光検出手段の出力値の最大値ＡＳ１Ｌｍａｘ，及び情報再生信号振幅の最大値ＥＮＶｍａｘを求め、該ＥＮＶｍａｘとＡＳ１Ｌｍａｘの比が、装填されたディスクと用いた光学系が一致した場合と異なる場合で異なることに基づいて、上記判別手段により、装填されたディスクが基材厚の厚いディスクか基材厚の薄いディスクかを判別するように構成したので、簡単な構成で基材厚の薄いディスクと基材厚の厚いディスクとを判別することができる。
【００２０】
　また、この発明に係る光ディスク装置によれば、前記光ディスク装置において、ディスクの記録情報を再生する光学系を、基材厚の薄いディスク用の光学系としたので、基材厚の薄いディスクが装填された場合にディスクの情報が再生可能になるまでの時間が短縮される。
【００２１】
　また、この発明に係る光ディスク装置によれば、前記光ディスク装置において、ディスクからの反射光量が上記光検出手段の出力値が所定の値を超えた場合に、移動手段を制御して焦点の移動速度を遅くするようにしたので、ディスク判別の信頼性を向上させることができる。
【発明を実施するための最良の形態】
【００２２】
　実施の形態１．
　以下、本発明の実施の形態１による光ディスク装置について、そのブロック図である図１を用いて説明する。
【００２３】
　本実施の形態１による光ディスク装置は、１層式ＤＶＤ，２層式ＤＶＤ，ＣＤ，ＣＤ−Ｒの判別を行うものである。図１において、１００はディスクであり、該ディスクはトレイ１４９に載せられるものである。１４７は、マイクロコンピュータ（以下、マイコンという）であり、これは、ディスク１００がトレイ１４９に載せられると、モータ１１８を駆動してトレイ１４９を移動するものであり、これにより、ディスク１００はモ−タ１０１の回転軸１０２に取り付けられるものである。
【００２４】
　移送台１０４には、レーザ１０５（波長は６５０ｎｍ），カップリングレンズ１０６，偏光ビ−ムスプリッタ１０７，１／４波長板１０８，全反射鏡１０９，光検出器１１１，モータ１２８，及びアクチュエ−タ１１２，１２７が取り付けられており、該移送台１０４は、例えばリニアモータ等の移送モータ１０３によって、ディスク１００の半径方向に移動せられるように構成されている。
【００２５】
　上記移送台１０４に取り付けられたレ−ザ１０５より発生した光ビ−ムは、カップリングレンズ１０６で平行光にされた後に、偏光ビ−ムスプリッタ１０７，及び１／４波長板１０８を通過し、全反射鏡１０９で反射され、集束レンズ１１０によりディスク１００の情報面上に集束して照射される。集束レンズ１１０，及びアクチュエータ１１２は、ＤＶＤを再生する場合に使用されるものである。
【００２６】
　ＣＤを再生する場合は、モータ１２８を駆動して、上記ＤＶＤ用のアクチュータ１１２，及び集束レンズ１１０に代えて、ＣＤ用の集束レンズ１２６，及びアクチュエータ１２７に切り換える。従来のＣＤ専用の装置では、ＣＤは波長７８０ｎｍのレーザを用いているが、上記ＣＤ用の集束レンズ１２６は、波長６５０ｎｍのレーザ１０５とし、かつＣＤの基材厚１．２ｍｍを考慮して設計されている。
【００２７】
　ディスク１００の情報面により反射された反射光は、集束レンズ１１０を通過して全反射鏡１０９で反射され、１／４波長板１０８，偏光ビ−ムスプリッタ１０７，検出レンズ１１３，及び円筒レンズ１１６を通過して、４分割された光検出器１１１上に照射される。集束レンズ１１０は、アクチュエ−タ１１２の可動部に取り付けられている。アクチュエ−タ１１２は、フォーカシング用のコイル，トラッキング用のコイル，フォーカシング用の永久磁石，及びトラッキング用の永久磁石により構成されている。したがって、アクチュエ−タ１１２のフォーカシング用のコイル（図示せず）に電力増幅回路１３３を用いて電圧を加えると、コイル（フォーカシング用のコイル）に電流が流れ、フォーカシング用の永久磁石（図示せず）から磁気力を受ける。よって、集束レンズ１１０は、ディスク１００の面と垂直な方向（図では上下方向）に移動する。このように、集束レンズ１１０は、光ビームの焦点とディスクの情報面とのずれを示すフォーカシングエラー信号に基づいて、光ビ−ムの焦点が常にディスク１００の情報面に位置するように制御されている。
【００２８】
　また、上記アクチュエ−タ１１２のトラッキング用のコイル（図示せず）に電力増幅回路１３６を用いて電圧を加えると、該コイルに電流が流れ、トラッキング用の永久磁石（図示せず）から磁気力を受ける。よって、集束レンズ１１０は、ディスク１００の半径方向、すなわちディスク１００上のトラックを横切る方向に（図上では左右に）移動する。
【００２９】
　上記光検出器１１１上に照射されたディスクからの反射光は、４分割された光検出器１１１によってそれぞれ電流に変換され、Ｉ／Ｖ変換器１１４，１１５，１１９，１２０に入力される。Ｉ／Ｖ変換器１１４，１１５，１１９，１２０は、入力される電流を、その電流レベルに応じて電圧に変換する。加算器１２１，１２２，１２３，１２４は上記４つのＩ／Ｖ変換器１１４，１１５，１１９，１２０からの各２つの入力信号を加算して、その各々の出力を２つずつ差動増幅器１２５，１１７に送る。差動増幅器１１７は上記加算器１２３，１２４の出力である両入力電圧の差を演算し、演算した値を出力する。
【００３０】
　図１に示した光学系は一般に非点収差法と呼ばれるフォーカシングエラー検出方式を構成している。従って、差動増幅器１１７の出力が、光ビーム１５０の集束点とディスク１００の情報面とのずれを示すフォーカシングエラー信号（以下、ＦＥ信号という）となる。このＦＥ信号は、位相補償回路１３０，スイッチ１３１，及び加算器１３２を介して電力増幅回路１３３に送られ、該電力増幅回路１３３によりアクチュエータ１１２のフォーカシング用コイル（図示せず）に電圧が加えられる。このように、位相補償回路１３０はフォーカシング制御系を安定にするものであり、上記ＦＥ信号に応じて集束レンズ１１０を駆動することにより、あるいは集束レンズ１２６に切り換えた場合には、集束レンズ１２６を駆動することにより、光ビームの焦点を常に情報面上に位置するようにするものである。
【００３１】
　また、上記差動増幅器１２５は上記加算器１２１，１２２の出力である両入力電圧の差を演算し、該演算した値を出力する。図１に示した光学系は、一般にプッシュプル法と呼ばれるトラッキングエラー検出方式を構成している。従って、差動増幅器１２５の出力が光ビーム１５０の集束点とディスク１００のトラックとのずれを示すトラッキングエラー信号（以下、ＴＥ信号という）となる。ＴＥ信号は、スイッチ１３４，位相補償回路１３５を介して、電力増幅器１３６に送られ、該電力増幅器１３６の出力は、上記アクチュエータ１１２のトラッキング用コイル（図示せず）に電圧として加えられる。このように、位相補償回路１３５はトラッキング制御系を安定にするものであり、上記ＴＥ信号に応じて集束レンズ１１０を駆動することにより、あるいは集束レンズを１２６に切り換えた場合には、集束レンズ１２６を駆動することにより、光ビームの焦点を常に上記トラック上に位置するようにするものである。
【００３２】
　そして、加算器１４８の出力は、上記全ての光検出器１１１の出力を加算した信号となり、これはディスクからの全反射光量を示すものである。以下、この出力信号をＡＳ１信号ということとするが、この信号はディスク上のピットの有無に応じて変化する信号である。この全反射光量を示すＡＳ１信号は、エンベロープ検出回路１４３，及び情報を復調するための信号処理回路（図示せず）に送られる。
【００３３】
　上記エンベロープ検出回路１４３は、ディスク上のピットによって生じた交流成分の信号レベルを出力するもので、以下、この出力信号をＥＮＶ信号という。
【００３４】
　ローパスフィルタ１６５（以下、ＬＰＦという）は、上記ＡＳ１信号からディスク上のピットによって生じた交流成分を除去するもので、該ＬＰＦ１６５を介したＡＳ１信号を、以下ＡＳ１Ｌ信号という。上記ＡＳ１Ｌ信号，ＥＮＶ信号，及びＦＥ信号は、アナログ・ディジタル変換器１４２，１４４，１４０（以下、Ａ／Ｄ変換器という）でディジタル信号に変換され、マイコン１４７に送られる。
【００３５】
　次に、本実施の形態１による光ディスク装置の動作について説明する。
　上記マイコン１４７は、ディスク１００がトレイ１４９に載せられると、モータ１１８を駆動してディスク１００をモータ１０１の回転軸１０２に取り付ける。
【００３６】
　次に、マイコン１４７は、ディジタル・アナログ変換器１４５に所定の値を設定して、電力増幅回路１３９を介して移送モータ１０３により移送台１０４をディスク１００の内周に移動させるとともに、モータ１２８を駆動して、集束レンズ，及びアクチュエータを、ＤＶＤ用の集束レンズ１１０，及びアクチュエータ１１２に切り換える。
【００３７】
　さらに、マイコン１４７は、モータ１０１を回転させる。モータの回転数は、ＤＶＤにおいて内周の情報を再生する場合に規定された回転数とする。モータ１０１が設定された回転数になると、該モータ１０１は、マイコン１４７の端子ａにＯＫ信号を送り、マイコン１４７はこのＯＫ信号が送られてくると、その端子ｂを介してレーザ駆動回路１２９に指令を送り、レーザを光を出射する放射状態にする。また、マイコン１４７は放射強度をＤ／Ａ変換器１４６を介してレーザ駆動回路１２９に設置する。なお、このレーザの放射強度は、ＣＤ−Ｒのディスクが本光ディスク装置に装填された場合でも、該ＣＤ−Ｒディスクの情報が破壊されないような低い値とする。
【００３８】
　さらに、上記マイコン１４７は、Ｄ／Ａ変換器１４１に値を設定して、加算器１３２，及び電力増幅回路１３３を介して集束レンズ１１０を一旦下げた後に徐々に上げる、即ちディスク１００から遠ざけた後に、徐々に近づけるようにする。このとき、スイッチ１３１，１３４は開いた状態としておき、これにより、ＦＥ信号，及びＴＥ信号に応じてアクチュエ−タ１１２のフォーカシング用のコイル，及びトラッキング用のコイルが駆動されることはないようにする。そして上記マイコン１４７は、集束レンズ１１０を移動させている期間に、上記ＦＥ信号，ＡＳ１Ｌ信号，及びＥＮＶ信号を、Ａ／Ｄ変換器１４０，ＬＰＦ１６５とＡ／Ｄ変換器１４２，及びＡ／Ｄ変換器１４４を、それぞれ介して取り込み、該マイコン１４７は、この取り込んだＦＥ信号，ＡＳ１Ｌ信号，及びＥＮＶ信号に基づいて、該光ディスク装置に装填されたディスク１００が、１層式ＤＶＤ，２層式ＤＶＤ，ＣＤ，及びＣＤ−Ｒのいずれかであるかを判別する。
【００３９】
　上記判別を行った後に、上記装填されたディスクがＣＤ−Ｒの場合には、ディスク１００に記録された情報を破壊する可能性があるので、上記マイコン１４７は、上記モータ１１８を駆動してトレイ１４９を移動し、ディスク１００を装置から排出する。上記装填されたディスクがＣＤの場合には、上記マイコン１４７は、モータ１２８を駆動して、アクチュエータ，及び集束レンズを、ＣＤ用のアクチュエータ１２７，及び集束レンズ１２６に切り換える。
【００４０】
　次に、上記マイコン１４７は、レーザ駆動回路１２９を制御して上記レーザ１０５の放射強度を、装填されているディスクが上記判別を行った結果のＣＤかＤＶＤのいずれであるかに応じて、ＣＤ，又はＤＶＤのそれぞれに応じた値に設定する。そして、Ｄ／Ａ変換器１４１の出力値をゼロにして、加算器１３２を経て、スイッチ１３１，１３４を閉じてこれにより形成される各ループにより、上記アクチュエータ１１２を電力増幅回路１３３，１３６の出力で制御してフォーカシング制御，及びトラッキング制御を行い、ディスク１００に記録されている情報を再生する。
【００４１】
　このようにマイコン１４７によるディスクの判別は、モータ１０１の回転軸１０２にディスク１００が新たに取り付けられた場合にのみ行う。したがって、例えば一時的にディスクの情報の再生を停止した後に、再生を再開するような場合には、ディスクの判別は行わない。従ってこれにより、上記再生を再開した場合の立ち上がり時間を短縮することができるものである。
【００４２】
　次にＦＥ信号、ＡＳ１Ｌ信号、ＥＮＶ信号について説明する。
　本光ディスク装置に１層式ＤＶＤ（ＤＶＤ１）が装填された場合に、集束レンズ１１０を下げた状態から徐々に上げていく際の各信号の波形図を図２(a)〜(e)に示す。図２(a)〜(e)において、縦軸は信号のレベルを示し、横軸は時間を示すが、図２(a)はＦＥ信号を、図２(b)はＡＳ１信号を、図２(c)はＡＳ１Ｌ信号を、図２(d)はＥＮＶ信号を、図２(e)は焦点Ｆの位置をそれぞれ示す。上記ＦＥ信号、ＡＳ１信号、ＡＳ１Ｌ信号、ＥＮＶ信号の各信号は、ディスクに照射される光ビームの焦点が、情報を記録した面，即ちアルミニウムの反射膜，を通過する際に変化するものであり、上記ＦＥ信号は、上記光ビームの焦点の位置とディスクの情報面とが一致した時間ｔ１のときに零になる。ここで、光ビームの焦点がディスクの情報面を通過する時の上記ＦＥ信号の波形は、一般にＳ字カーブと呼ばれる。上記ＡＳ１信号は、光ビームの焦点がディスクの情報面に近づくにつれて徐々に増大し、離れるにつれて徐々に減少するもので、これは、ディスク上のピットの有無に応じて変化している。上記ＡＳ１Ｌ信号は、ディスク上のピットによる上記ＡＳ１信号のレベル変化を平均した信号となる。上記ＥＮＶ信号は、ディスク上のピットの有無による反射光量のレベル変化を示す信号となる。図２(e)の波形に示した光ビームの焦点Ｆの位置は、マイコン１４７がＤ／Ａ変換器１４１に出力する信号レベルによって決まる。
【００４３】
　ここで、マイコン１４７は、光ビームの焦点Ｆの位置を、図２(e)の波形に示すように、時間ｔ０から時間ｔ２の期間は遅く動かしている。この理由は、遅く動かす方が、信号レベルの変化が緩やかで、上記ＦＥ信号、ＡＳ１Ｌ信号，及びＥＮＶ信号の測定を正確に行うことができるからである。なお、時間ｔ０〜時間ｔ２の間の期間は、ＡＳ１Ｌ信号が基準値Ｗを越えている期間とする。この期間に上記ＡＳ１Ｌ信号が基準値Ｗを越えるのは、この期間には光ビームの焦点がディスクの情報面の近傍にあるからである。従って、このように時間ｔ０〜ｔ２の期間は、光ビームの焦点Ｆの位置を遅く動かすことにより、各信号の測定を正確に行って、ディスクを判別する時間を短縮することができるものである。
【００４４】
　次に、上記ＦＥ信号、ＡＳ１Ｌ信号、ＥＮＶ信号を検出した結果に基づき、マイコン１４７が行う，ディスク判別の方式について説明する。
【００４５】
　上記マイコン１４７は、取り込んだ上記ＦＥ信号、ＡＳ１Ｌ信号、及びＥＮＶ信号の最大値を計算する。
【００４６】
　図３(a)〜(d)に、集束レンズ１１０を徐々に上げた場合の上記ＥＮＶ信号、及びＡＳ１Ｌ信号を示す。図３(a)〜(d)において、縦軸は信号のレベルを示し、横軸は時間を示すが、図３(a)は、１層式ＤＶＤ（ＤＶＤ１と記す）の場合、図３(b)は、２層式ＤＶＤ（ＤＶＤ２と記す）の場合、図３(c)は、ＣＤの場合、図３(d)は、ＣＤ−Ｒの場合を示す。
【００４７】
　図３(a)の波形において、Ｋｅｎｖ，及びＫａｓは、集束レンズ１１０を移動した期間におけるＥＮＶ信号，及びＡＳ１Ｌ信号の最大値であり、図３(b)，図３(c)，及び図３(d)におけるＬｅｎｖ，Ｌａｓ，Ｍｅｎｖ，Ｍａｓ，Ｎｅｎｖ，Ｎａｓも同様である。
【００４８】
　上記ＥＮＶ信号，及びＡＳ１Ｌ信号のレベルは、１層式ＤＶＤ（ＤＶＤ１）で最大で、ＣＤ−Ｒで最小となる。２層式ＤＶＤ（ＤＶＤ２）のＥＮＶ信号，及びＡＳ１Ｌ信号のレベルＬｅｎｖ，Ｌａｓが、１層式ＤＶＤ（ＤＶＤ１）のそれら（Ｋｅｎｖ，Ｋａｓ）に比し低いのは、２層式ＤＶＤ（ＤＶＤ２）の第１層の反射率，約３５パーセントが、１層式ＤＶＤ（ＤＶＤ１）の反射率，約９０％に比し低いためである。
【００４９】
　また、ＣＤのＥＮＶ信号のレベルＭｅｎｖが、ＤＶＤ（ＤＶＤ１，ＤＶＤ２）のそれら（Ｋｅｎｖ，Ｌｅｎｖ）に比べ低いのは、該ＣＤのＥＮＶ信号を、ＤＶＤ用の光学系を用いて測定するためである。
【００５０】
　さらに、ＣＤとＣＤ−Ｒの，ＥＮＶ信号，及びＡＳ１Ｌ信号（ＭｅｎｖとＮｅｎｖ、ＭａｓとＮａｓ）に差があるのは、ＣＤ−Ｒの６５０ｎｍの吸収率がＣＤに比し大きいためである。
【００５１】
　図３(a)の波形において、Ｋｅｎｖ，及びＫａｓは、集束レンズ１１０を移動した期間におけるＥＮＶ信号，及びＡＳ１Ｌ信号の最大値であり、図３(b)，図３(c)，及び図３(d)におけるＬｅｎｖ，Ｌａｓ、Ｍｅｎｖ，Ｍａｓ、及びＮｅｎｖ，Ｎａｓも同様である。
【００５２】
　上記ＦＥ信号、ＡＳ１Ｌ信号、及びＥＮＶ信号の最大値を計算したのち、マイコン１４７は、Ｎａｓ＜Ｐａｓ＜Ｍａｓ、Ｎａｓ＜Ｐａｓ＜Ｌａｓ，及びＮａｓ＜Ｐａｓ＜Ｋａｓの関係を満たすＰａｓを予め記憶しており、該Ｐａｓと上記ＡＳ１Ｌ信号の最大値とを比較し、ＡＳ１Ｌ信号の最大値がＰａｓ以下の場合に、装填されたディスクをＣＤ−Ｒと判別する。該ディスクがＣＤ−Ｒである場合は、モータ１１８を駆動してトレイ１４９を移動し、ディスク１００を装置から排出する。
【００５３】
　次に、マイコン１４７は、Ｋｅｎｖ／Ｋａｓ、Ｌｅｎｖ／Ｌａｓ、Ｍｅｎｖ／Ｍａｓ、Ｎｅｎｖ／Ｎａｓを演算する。ここで、ＡＳ１Ｌ信号の最大値でＥＮＶ信号の最大値を除算する理由は、ＥＮＶ信号の最大値に対するディスク１００の反射率やレーザ１０５の放射強度のバラツキによる影響を吸収するためである。
【００５４】
　この値は、実験によれば、１層式ＤＶＤ（ＤＶＤ１），及び２層式ＤＶＤ（ＤＶＤ２）では、６程度であり、ＣＤの場合、２程度となる。従って、マイコン１４７は、上記の値が４以上の場合に、ディスクはＤＶＤであると判断し、４以下の場合に、ＣＤであると判断する。ただし、ＡＳＬ信号の増幅率とＥＮＶ信号の増幅率が異なれば、除算の結果は異なることとなるので、この場合、増幅率に応じて比較値を変えるようにする。
【００５５】
　本光ディスク装置に装填されたディスクがＣＤの場合は、マイコン１４７は、モータ１２８を駆動して、アクチュエータ，及び集束レンズを、ＣＤ用のアクチュエータ１２７，及び集束レンズ１２６に切り換える。
【００５６】
　本光ディスク装置に装填されたディスクがＤＶＤの場合には、マイコン１４７は、Ｌｅｎｖ＜Ｑｅｎｖ＜Ｋｅｎｖの関係を満たすＱｅｎｖを予め記憶しており、該Ｑｅｎｖの値と測定したＥＮＶ信号との比較を行い、その結果により、１層式ＤＶＤ（ＤＶＤ１）であるか２層式ＤＶＤ（ＤＶＤ２）であるかの判別を行う。
【００５７】
　なお本実施の形態１では、１層式ＤＶＤ（ＤＶＤ１）と２層式ＤＶＤ（ＤＶＤ２）との判別を、ＥＮＶ信号の最大値を用いて行うものとしたが、これはＦＥ信号の振幅の最大値，又はＡＳ１Ｌ信号の最大値を用いて行うこともできる。これは、ＥＮＶ信号のレベルに差が生じるのと同様の理由で，即ち１層式ＤＶＤと２層式ＤＶＤは反射率が異なることにより、またＦＥ信号の振幅のレベル，又はＡＳ１Ｌ信号のレベルに差が生じるからである。
【００５８】
　また、本実施の形態１では、ＣＤ−Ｒの判別をＡＳ１Ｌ信号のレベルで行うものとしたが、これは、ＦＥ信号のレベル，又はＥＮＶ信号のレベルで行うこともできる。これは、ＣＤ−ＲのＦＥ信号，またはＥＮＶ信号のレベルが、ＣＤに比べ、ＡＳ１Ｌ信号の場合と同じ理由で、即ち、ＣＤとＣＤ−Ｒとは吸収率が異なることにより、低いからである。
【００５９】
　また、本実施の形態１では、ＣＤとＤＶＤの判別を、ＥＮＶ信号の最大値をＡＳ１Ｌ信号の最大値で除算した値に基づいて行うとしたが、実験によると、２層式ＤＶＤのＥＮＶ信号の最大値は、ＣＤ用レンズで検出すべきものをＤＶＤ用レンズで検出するＣＤのＥＮＶ信号の最大値より大きいので、このＥＮＶ信号の最大値そのものに基づいて、１層式ＤＶＤ，２層式ＤＶＤ，ＣＤ，及びＣＤ−Ｒを、１層式ＤＶＤと２層式ＤＶＤとは反射率の違いにより、ＤＶＤとＣＤとは基板厚に対して最適の検出レンズを使っていないことよりくる検出出力の違いにより、またＣＤとＣＤ−Ｒとは吸収率の違いにより、その判別を行うことができる。
【００６０】
　また、このようにＥＮＶ信号の最大値に基づいて判別を行う場合には、除算を行わないので、マイコン１４７の処理は簡単にこれを行うことができることとなる。
【００６１】
　また、本実施の形態１では、レーザ１０５の放射強度を低くして、ＣＤ−Ｒであるかどうかの判別を行うものとしたが、集束レンズ１１０の１回目のディスクに対する垂直方向の移動によりＣＤ−Ｒでないことを確認した後は、レーザ１０５の放射強度を高くして、集束レンズ１１０のディスクに対する垂直方向の２回目の移動を行い、ＤＶＤ、ＣＤの判別を行うようにしてもよい。この場合、レーザの放射強度を高くすることで、検出信号のレベルをノイズに比べ高くすることができるので、判別の精度を大きく向上することができる。
【００６２】
　また、本実施の形態１では、ＤＶＤ用の光学系を用いてディスクの判別を行うものとしたが、これはＣＤ用の光学系を用いて行ってもよい。ただしこの場合、ＥＮＶ信号、ＦＥ信号の大小関係は逆転するので、その判定条件を変更する必要がある。
【００６３】
　また、本実施の形態１では、集束レンズ１１０をディスク１００から一旦遠ざけた後に徐々に近づけていき、その時のＦＥ信号，ＥＮＶ信号，ＡＳ１Ｌ信号を計測するとしたが、ディスク１００に一旦近づけた後に除々に遠ざけた時の上記各信号を計測するようにしてもよく、上記と同様の結果が得ることができる。
【００６４】
　以上のように、本実施の形態１による光ディスク装置によれば、ＡＳ１Ｌ信号，及びＥＮＶ信号の最大値を測定し、ＥＮＶ信号の最大値をＡＳ１Ｌ信号の最大値で除算した値を、予め決めておいた基準値と比較するように構成したので、基材厚の薄いＤＶＤと基材厚の厚いＣＤとを判別することができる。
【００６５】
　また、ＡＳ１Ｌ信号の最大値そのものを、予め決めておいた基準値と比較するように構成したので、簡単な構成で、ＣＤ−Ｒのディスクを判別することができる。
【００６６】
　また、光ビームの強度をディスクの情報を再生する際の強度より低くしてディスク判別をするように構成したので、装填されたディスクがＣＤ−Ｒであってもディスクの判別の際にディスクの情報が破壊されることがない。
【００６７】
　また、ＥＮＶ信号振幅の最大値を予め決めておいた基準値と比較するようにしたので、簡単な構成で、上記ＥＮＶ信号の最大値が所定のレベル以下であることより、１層式ＤＶＤと２層式ＤＶＤとを判別できる。
【００６８】
　また、ＥＮＶ信号振幅の最大値を測定し、その結果を予め決めておいた基準値と比較するように構成したので、簡単な構成で、基材厚の薄いＤＶＤと基材厚の厚いＣＤとを判別することができる。
【００６９】
　また、基材厚の薄いディスク用の光学系を用いてディスク判別を行うように構成したので、基材厚の薄いディスクが装填された場合にディスクの情報が再生可能になるまでの時間が短縮される。
【００７０】
　また、ＡＳ１Ｌ信号のレベルが基準値Ｗ以上になると集束レンズ１１０の移動速度を遅くするように構成したので、ＡＳ１Ｌ信号，ＥＮＶ信号，及びＦＥ信号のレベル変化が緩やかになり、従って、マイコン１４７はＡＳ１Ｌ，ＥＮＶ信号，及びＦＥ信号の振幅の正確な最大値を得ることができ、ディスク判別の信頼性を向上することができる。
【００７１】
　また、本実施の形態１では、ＣＤ−Ｒの判別をＡＳ１Ｌ信号の最大値を用いて行うものとしたが、これは、ＦＥ信号の振幅の最大値を用いて行うこともできる。これは、ＣＤ−ＲのＡＳ１Ｌ信号のレベルがＣＤのＡＳ１Ｌ信号のレベルに比べて低いのと同じ理由により、ＣＤ−ＲのＦＥ信号の振幅のレベルがＣＤのＦＥ信号の振幅のレベルに比べ低いからである。従って、この場合にも、上記ＡＳ１Ｌ信号を用いた場合と同様の効果を得ることができる。
【００７２】
　また、１層式ＤＶＤと２層式ＤＶＤの判別をＥＮＶ信号の最大値を用いて行うものとしたが、これは、ＦＥ信号の振幅の最大値，またはＡＳ１Ｌ信号の最大値を用いて行うこともできる。これは、１層式ＤＶＤと２層式ＤＶＤとでは、ＥＮＶ信号の振幅のレベルに差が生じるのと同様の理由で、ＡＳ１Ｌ信号の最大値にも差が生じるからである。従って、この場合にも、上記ＥＮＶ信号を用いた場合と同様の効果を得ることができる。
【００７３】
　実施の形態２．
　以下本発明の実施の形態２について説明する。
　図４は、本発明の実施の形態２による光ディスク装置のブロック図を示す。図４において、上記実施の形態１におけると同一符号は同一部分を示す。本実施の形態２では、ＤＶＤと、ＣＤの判別を行う（ただし、１層式ＤＶＤと２層式ＤＶＤとの判別はできない）ものである。
【００７４】
　本実施の形態２による光ディスク装置において、上記実施の形態１による光ディスク装置の構成に新たに追加されたものは、バンドパスフィルタ１６０と、コンパレータ１６１である。バンドパスフィルタ１６０は所定の周波数の信号のみを通過させる。コンパレータ１６１は入力信号のレベルが所定の値を超えた場合にハイレベルの信号を出力する。従って、ディスク１００に、バンドパスフィルタ１６０の通過帯域の信号が記録されているかどうかを、コンパレータ１６１の出力値がハイレベルになったかどうかで判別することができる。ここで、上記バンドパスフィルタ１６０の通過帯域は、４ＭＨｚ近傍に設定されているものである。
【００７５】
　次に、本実施の形態２による光ディスク装置の動作について説明する。
　上記実施の形態１におけると同様に、マイコン１４７は、ディスク１００がトレイ１４９に載せられると、モータ１１８を駆動してディスク１００をモータ１０１の回転軸１０２に取り付ける。
【００７６】
　次に、マイコン１４７は、Ｄ／Ａ変換器１４５に所定の値を設定して、電力増幅回路１３９を介して移送モータ１０３により移送台１０４をディスク１００の内周に移動させるとともに、モータ１２８を駆動して、集束レンズ，及びアクチュエータを、ＤＶＤ用の集束レンズ１１０，及びアクチュエータ１１２に切り換える。そして、マイコン１４７は、モータ１０１を回転させるが、ここで、モータの回転数は、ＤＶＤにおいて内周の情報を再生する場合に規定された回転数とする。さらに、マイコン１４７はＤ／Ａ変換器１４１に値を設定して、集束レンズ１１０をディスク１００から一旦遠ざけた後に徐々に近づける。このとき、スイッチ１３１、１３４は開いた状態としておき、ＦＥ信号，及びＴＥ信号に応じてアクチュエ−タ１１２のフォーカシング用のコイル，及びトラッキング用のコイルが駆動されることはないようにする。
【００７７】
　以上は、上記実施の形態１におけるのと同様である。
　次に本実施の形態２におけるディスクの判別方法について説明する。
【００７８】
　ＤＶＤに記録されている信号の最高周波数は約４ＭＨｚであり、また、ＤＶＤの線速は約３．３ｍ／ｓである。ＣＤの場合は、線速は約１．３ｍ／ｓで、この時再生される信号の最高周波数は約７００ＫＨｚである。従って、ＤＶＤの線速でＣＤを回転させた場合の最高周波数は、７００ＫＨｚ×（３．２７／１．３）＝１．８ＭＨｚとなる。従って、集束レンズを移動させた時にコンパレータ１６１の出力がハイレベルになれば、検出信号中には４ＭＨｚの信号成分があることがわかり、搭載されたディスクはＤＶＤであることが判る。ディスクの判別を行った後の動作は、上記実施の形態１におけるのと同様である。
【００７９】
　なお、本実施の形態２の上記の例では、４ＭＨｚの信号成分を通すバンドパスフィルタ１６０を用い、その出力をコンパレータ１６１で検出することにより、４ＭＨｚの信号成分があるかどうかを検出し、装填されたディスクが、ＤＶＤかＣＤかを判別するようにしたが、これは、このバンドパスフィルタ１６０の入力信号を２値化し、そのハイレベル，又はローレベルの期間を計測することで、４ＭＨｚの信号成分があるかどうかを検出するようにしてもよい。ここで、ＤＶＤの場合には、ハイレベル，又はローレベルの期間は、約１２５ｎｓとなるものである。
【００８０】
　図５にこのような構成とした例のブロック図を示す。図４のブロック図と異なる点は、加算器１４８の出力であるＡＳ１信号を入力とするハイパスフィルタ７００（以下、ＨＰＦ７００と記す）、その出力を入力とするコンパレータ７０１、その出力を入力とする周期計測回路７０２、及びその出力を入力とするマイコン７４７である。ＨＰＦ７００は、入力信号の高周波成分のみを通過させるフィルタである。ＨＦＰ７００のカットオフ周波数は、ディスク１００に記録された情報がもつ周波数成分を通過させる周波数に設定されている。従って、コンパレータ７０１には、ディスク１００に記録された情報の信号成分が入力される。コンパレータ７０１は、零レベルを基準に入力信号をハイレベルまたはローレベルに変換する２値化回路である。よって、コンパレータ７０１の出力は、ディスク１００に記録された情報の信号成分を２値化した信号になる。周期計測回路７０２は、入力信号のハイレベルおよびローレベルの時間を計測し、計測値をマイコン７４７に送る。マイコン７４７は、上記周期計測回路７０２から１２５ｎｓ近傍の計測値が送られてくると、今装填されているディスクがＤＶＤであると判別する。１２５ｎｓの計測値は、４ＭＨｚの信号成分に対応するからである。なお、マイコン７４７において計測値を取り込みディスクの判別を行う以外の動作は、マイコン１４７の動作と同じである。
【００８１】
　以上のように、本実施の形態２による光ディスク装置によれば、ディスクからの反射光量に応じたＡＳ１信号に所定の周波数成分の信号が含まれているかどうかを、図４に示すバンドパスフィルタ１６０，及びコンパレータ１６１で検出できるようにしたので、線記録密度の高いＤＶＤと低いＣＤとを判別することができる。
【００８２】
　また、ディスクからの反射光量に応じたＡＳ１信号に所定の周波数成分の信号が含まれているかどうかを、図５に示すハイパスフィルタ７００，コンパレータ７０１，及び周期計測回路７０２で同様に検出できるようにしたので、線記録密度の高いＤＶＤと低いＣＤとを判別することができる。
【００８３】
　実施の形態３．
　以下、本発明の実施の形態３について説明する。
【００８４】
　図６は、本実施の形態３による光ディスク装置の構成を示すブロック図である。上記実施の形態１におけると同一符号は同一部分を示す。本実施の形態３による装置が、上記実施の形態１の装置と異なる点は、アクチュエータ１１２，１２７、及び集束レンズ１１０，１２６が、アクチュエータ１７２，集束レンズ１７０，及びホログラム１７１に置き換わっている点である。
【００８５】
　この光学系について図７の模式図を用いて説明する。ホログラム１７１は光ビーム１５０の光軸中心近傍にのみ形成されており、集束レンズ１７０を通過した光ビーム１５０はＣＤ用の焦点ＦCDと、ＤＶＤ用の焦点ＦDVDとを結ぶ。ＣＤ用焦点ＦCDは、ＤＶＤ用焦点ＦDVDに比べ、集束レンズ１７０から離れた位置にある。ＣＤ用焦点ＦCDとＤＶＤ用焦点ＦDVDとの距離は、約３００μｍである。また、焦点の強度は、ＤＶＤ焦点ＦDVDがＣＤ用焦点ＦCDの約２倍になっている。
【００８６】
　図６において、上記実施の形態１と同様に、マイコン１４７は、ディスク１００がトレイ１４９に載せられるとモータ１１８を駆動してディスク１００をモータ１０１の回転軸１０２に取り付ける。次に、移送台１０４を電力増幅回路１３９を介して移送モータ１０３によりディスク１００の内周に移動させる。そして、マイコン１４７は、モータ１０１を回転させる。モータの回転数は、ＤＶＤにおいて内周の情報を再生する場合に規定された回転数とする。モータ１０１が設定された回転数になると、該モータ１０１は、マイコン１４７の端子ａにＯＫ信号を送り、マイコン１４７はこのＯＫ信号が送られてくると、Ｄ／Ａ変換器１４１に値を設定して集束レンズ１７０を一旦下げた後に徐々に上げる。このとき、スイッチ１３１、１３４は開いておく。
【００８７】
　そしてマイコン１４７は、集束レンズ１７０が上限まで移動した後に、ディスクの判別を行う。判別を行った結果、ディスクがＣＤ−Ｒである場合は、モータ１１８を駆動してトレイ１４９を移動しディスク１００を装置から排出する。ディスクがＣＤである場合は、再度集束レンズ１７０を下げた後に徐々に上げてＥＮＶ信号が所定のレベルを越え、かつＦＥ信号が最初にゼロクロスしたタイミングで、スイッチ１３１を閉じてフォーカシング制御を動作させる。
【００８８】
　ディスクがＤＶＤである場合は、集束レンズ１７０をディスク１００から徐々に下げながらＦＥ号が最初にゼロクロスしたタイミングでスイッチ１３１を閉じて、フォーカシング制御を動作させる。
【００８９】
　フォーカシング制御を動作させる際に、集束レンズ１７０の移動方向をＣＤとＤＶＤで変える理由について、以下に詳細に説明する。
【００９０】
　図８に集束レンズ１７０を一旦下げた後に徐々に上げていく場合のＦＥ信号、ＥＮＶ信号を示す。横軸は時間を示す。２つの焦点を持つ光学系の場合、ＣＤ用焦点ＦCDとＤＶＤ用焦点ＦDVDによってＦＥ信号，及びＥＮＶ信号が変化する。
【００９１】
　図８(a)に示した１層式ＤＶＤ，図８(b)に示した２層式ＤＶＤの場合、共に、最初ＣＤ用焦点ＦCDでＦＥ信号およびＥＮＶ信号は変化し（図では左側）、その後にＤＶＤ用焦点ＦDVDでＦＥ信号およびＥＮＶ信号が変化する（図では右側）。この理由は、ＣＤ焦点ＦCDがＤＶＤ焦点ＦDVDより集束レンズ１７０から離れた位置にあるからである。従って、ＤＶＤの場合は集束レンズ１７０を一旦上げた後に徐々に下げながら最初に、または２回目に（それぞれ１層式ＤＶＤ，２層式ＤＶＤの場合）ＦＥ信号がゼロクロスするタイミング（時間ｔ１２，又はｔ１３）でフォーカシング制御系を動作させる。ＣＤの場合は、集束レンズ１７０を一旦下げた後に徐々に上げながらＥＮＶ信号が所定のレベルを越え、かつＦＥ信号がゼロクロスする最初のタイミング（時間ｔ１１）でフォーカシング制御系を動作させる。ＥＮＶ信号を条件とするのは、図８(c)のＣＤの場合のＦＥ信号に点線で示した波形（時間ｔ１０）が、基材表面で生じる場合があるためである。
【００９２】
　次に、マイコン１４７が行うディスク判別の方式について説明する。
　マイコン１４７は集束レンズ１７０を徐々に上げている期間に、ＦＥ信号，ＡＳ１Ｌ信号，ＥＮＶ信号を取り込み、その最大値を測定する。
【００９３】
　図９に集束レンズ１７０を徐々に上げた場合のＥＮＶ信号、ＡＳ１Ｌ信号を示す。縦軸は信号のレベルを示し、横軸は時間を示す。
【００９４】
　図９(a)に１層式ＤＶＤの場合、図９(b)に２層式ＤＶＤの場合、図９(c)にＣＤの場合、図９(d)にＣＤ−Ｒの場合を示す。
【００９５】
　図９(a)の波形において、Ｓｅｎｖは集束レンズ１７０を移動した期間におけるＥＮＶ信号の最大値を示す。Ｓａｓは、同様にＡＳ１Ｌ信号の最大値を示す。
　図９(b),(c),(d)の波形の場合も同様である。
【００９６】
　ＥＮＶ信号，及びＡＳ１Ｌ信号は、ＣＤ用焦点ＦCD，ＤＶＤ用焦点ＦDVDがそれぞれ情報面に一致したときに信号のレベルが高くなる。ＥＮＶ信号の最大値は、１層式ＤＶＤ（Ｓｅｎｖ）が最大で、２層式ＤＶＤとＣＤ（Ｔｅｎｖ，Ｕｅｎｖ）がほぼ等しく、ＣＤ−Ｒ（Ｖｅｎｖ）が最小となる。また、ＡＳ１Ｌ信号の最大値は、１層式ＤＶＤ（Ｓａｓ）とＣＤ（Ｕａｓ）が大きくかつほぼ等しく、２層式ＤＶＤのＡＳ１Ｌ信号の最大値（Ｔａｓ）はＣＤ（Ｕａｓ）に比べ小さく、さらにＣＤ−Ｒ（Ｖａｓ）が最小となる。
【００９７】
　２層式ＤＶＤのＥＮＶ信号，及びＡＳ１Ｌ信号の最大値（Ｔｅｎｖ，Ｔａｓ）が１層式ＤＶＤ（Ｓｅｎｖ，Ｓａｓ）に比べ低いのは、２層式ＤＶＤの第１層の反射率が、１層式ＤＶＤの反射率に比べ低いためである。
【００９８】
　ＣＤにおいてＣＤ用焦点ＦCDによるＥＮＶ信号のレベル（Ｕｅｎｖ）が上記１層式ＤＶＤのそれ（Ｓｅｎｖ）に比べ低いのは、ＣＤ用焦点ＦCDの光量がＤＶＤ用焦点ＦDVDに比べ約５０％だからである。また、ＣＤにおいてＤＶＤ用焦点ＦDVDによるＥＮＶ信号のレベル（Ｕｅｎｖ）が、１層式ＤＶＤにおけるＤＶＤ用焦点ＦDVDによるＥＮＶ信号のレベル（Ｓｅｎｖ）に比べ低いのは、ＤＶＤ用焦点ＦDVDが０．６ｍｍの基材厚を前提に設計されているので、焦点がぼやけるためである。
【００９９】
　ＣＤとＣＤ−ＲとのＥＮＶ信号，ＡＳ１Ｌ信号における差（ＵｅｎｖとＶｅｎｖとの差，ＵａｓとＶａｓとの差）は、ＣＤ−Ｒの６５０ｎｍの吸収率が、ＣＤに比べ大きいためである。
【０１００】
　上記ＦＥ信号，ＡＳ１Ｌ信号，ＥＮＶ信号の最大値を測定した上記マイコン１４７は、Ｖａｓ＜Ｗａｓ＜Ｕａｓ、Ｖａｓ＜Ｗａｓ＜Ｔａｓ，及びＶａｓ＜Ｗａｓ＜Ｓａｓの関係を満たすＷａｓを予め記憶しており、上記ＡＳ１Ｌ信号の最大値を該Ｗａｓと比較し、該最大値がＷａｓ以下の場合に、充填されたディスクをＣＤ−Ｒと判別する。ディスクをＣＤ−Ｒであると判定した場合には、モータ１１８を駆動してトレイ１４９を移動し、ディスク１００を装置から排出する。
【０１０１】
　そして、マイコン１４７は、Ｓｅｎｖ／Ｓａｓ，Ｔｅｎｖ／Ｔａｓ，Ｕｅｎｖ／Ｕａｓを演算する。Ｓｅｎｖ／Ｓａｓと、Ｔｅｎｖ／Ｔａｓは、ほぼ等しくなる。Ｕｅｎｖ／Ｕａｓは、Ｓｅｎｖ／ＳａｓとＴｅｎｖ／Ｔａｓに比べ小さくなる。
【０１０２】
　マイコン１４７は、予め所定の値Ｚを記憶しておき、ＥＮＶ信号の最大値をＡＳ１Ｌ信号の最大値で割った値と、上記値Ｚとを比較することで、装填されたディスクがＤＶＤかＣＤかを判別する。
【０１０３】
　次に、値Ｚについて説明する。
　値Ｚは、標準のディスクにおいて予めＳｅｎｖ／Ｓａｓ，Ｔｅｎｖ／Ｔａｓ，Ｕｅｎｖ／Ｕａｓを測定し、その結果に基づいてこの値Ｚを決定する。ＤＶＤ用焦点ＦDVDの強度を、ＣＤ用焦点ＦCDの強度の約２倍に設定した装置では、このＺの値は１層式ＤＶＤ，及び２層式ＤＶＤでは６程度であり、ＣＤの場合、２程度になる。従って値Ｚは、２と６の間の値となる。ディスクの特性がばらついても正確にディスクを判別できるようにするために、値Ｚは
　　６／Ｚ＝Ｚ／２
を満たす値に設定する。Ｚの値は約４となる。図２３に、本実施の形態３における，値Ｚとディスク種別の関係を示す。ＥＮＶ信号の最大値をＡＳ１Ｌ信号の最大値で割った値が４より大きい場合に、ＤＶＤと判別し、小さい場合にＣＤと判別する。但し、ＥＮＶ信号とＡＳ１Ｌ信号の増幅率の差によって除算の結果は異なるので、増幅率を変更した場合には、それに応じて値Ｚを変える必要がある。
【０１０４】
　また、ＤＶＤ用焦点ＦDVDと、ＣＤ用焦点ＦCDの強度の比率を変えた場合には、強度の比に応じて比較値を変える必要がある。
【０１０５】
　以上のように、本実施の形態３による光ディスク装置によれば、ＡＳ１Ｌ信号，及びＥＮＶ信号の最大値を測定し、ＥＮＶ信号の最大値をＡＳ１Ｌ信号の最大値で除算し、その結果を予め決めておいた基準値と比較するように構成したので、基材厚の厚いディスクを再生するための焦点と基材厚の薄いディスクを再生するための焦点の２つの焦点を有する光ヘッドを用いる光ディスク装置であっても、基材厚の薄いＤＶＤと基材厚の厚いＣＤとを判別することができる。
【０１０６】
　また、マイコン１４７が、装填されたディスクが基材厚の厚いＣＤであると判別すると、Ｄ／Ａ変換器１４１に所定の値を設定することで集束レンズ１７０をティスク１００に近づけるように移動させ、そして、マイコン１４７はフォーカシング制御を動作させるタイミングを検出すると、スイッチ１３１を閉じてフォーカシング制御を動作させる。従って、基材厚の厚いディスクを再生するための焦点と基材厚の薄いディスクを再生するための焦点の２つの焦点を有する光ヘッドを用いる光ディスク装置であっても、基材厚の厚いＣＤにおいてフォーカシング制御を正常に動作させることができる。
【０１０７】
　また、マイコン１４７が、装填されたディスクが基材厚の薄いＤＶＤであると判別すると、Ｄ／Ａ変換器１４１に所定の値を設定することで集束レンズ１７０をディスク１００から遠ざける方向に移動させる。そして、マイコン１４７はフォーカシング制御を動作させるタイミングを検出すると、スイッチ１３１を閉じてフォーカシング制御を動作させる。従って、基材厚の厚いディスクを再生するための焦点と基材厚の薄いディスクを再生するための焦点の２つの焦点を有する光ヘッドを用いる光ディスク装置であっても、基材厚にかかわらずフォーカシング制御を正常に動作させることができる。
【０１０８】
　実施の形態４．
　以下、本発明の実施の形態４について説明する。
　図１０に本実施の形態４による光ディスク装置のブロック図を示す。実施の形態３と同じブロックには同じ番号を付して説明を省略する。実施の形態３と異なる点は、光検出器４１１、マイコン４４７、Ｉ／Ｖ変換器４５０、ローパスフィルタ４５１、Ａ／Ｄ変換器４５２、４６１、増幅率が可変の増幅器４５３、加算器４５４、４６２、Ｄ／Ａ変換器４５５である。
【０１０９】
　光検出器４１１は、受光面が５分割された光検出器であり、上記実施の形態３における光検出器１１１に、１個の受光面が追加された構成になっている。図１１に、この光検出器４１１の構成を示す。即ち、上記実施の形態３の光検出器１１１は、受光面Ａ，Ｂ，Ｃ，Ｄの４個の受光面から構成されているのに対し、本実施の形態４における光検出器４１１は、受光面Ａ，Ｂ，Ｃ，Ｄ，及びＥの５個の受光面からなっており、上記光検出器１１１に受光面Ｅが追加された構成となっている。上記受光面Ａ，Ｂ，Ｃ，Ｄは、光検出器４１１の内側部を構成し、該内側部の１辺は約２００μｍである。受光面Ｅは、光検出器４１１の外側部を構成し、該外側部の１辺は約２ｍｍである。
【０１１０】
　ここで、受光面Ａ，Ｂ，Ｃ，Ｄの出力信号を加算した値を示す加算器１４８の出力をＡＳ１信号という。従って、実施の形態１，２，３と同様に、図１０に示した差動増幅器１１７の出力が、光ビーム１５０の集束点とディスクの情報面とのずれを示すＦＥ信号となる。また、差動増幅器１２５の出力が、光ビーム１５０の集束点とトラックとのずれを示すＴＥ信号となる。追加された受光面（Ｅ）の出力は、Ｉ／Ｖ変換器４５０に送られる。Ｉ／Ｖ変換器４５０の出力は、加算回路４６２とＬＰＦ４６０とに送られる。加算器４６２の出力信号は、光検出器４１１の全ての受光面の出力信号を加算した信号であり、この信号を以下ではＡＳ信号という。同様に、ＬＰＦ４５１の出力信号をＡＳＬ信号と、Ｉ／Ｖ変換器４５０の出力信号をＡＳ２信号と、ＬＰＦ４６０の出力信号をＡＳ２Ｌ信号という。上記ＡＳＬ信号は、Ａ／Ｄ変換器４６１に送られる。マイコン４４７は、Ａ／Ｄ変換器４６１の出力信号を取り込み、同様にマイコン４４７は、Ａ／Ｄ変換器４５２を介してＡＳ２Ｌ信号を取り込む。Ｉ／Ｖ変換器４５０は、Ｉ／Ｖ変換器１２０と同様に動作する。同様に、ＬＰＦ４５１，及び４６０、Ａ／Ｄ変換器４６１，及び４５２は、それぞれＬＰＦ１６５，Ａ／Ｄ変換器１４２と同様に動作する。増幅器４５３は、マイコン４４７の指令により増幅率を変える増幅器である。加算器４５４，Ｄ／Ａ変換器４５５は、それぞれ加算器１３２，Ｄ／Ａ変換器１４１と同様に動作する。
【０１１１】
　図１０に示した装置の動作を図１２に示したフローチャートを用いて説明する。
　図１０において、実施の形態３と同様に、マイコン４４７は、ディスク１００がトレイ１４９に載せられると、モータ１１８を駆動してディスク１００をモータ１０１の回転軸１０２に取り付ける（ステップＳ１）。
【０１１２】
　次に、マイコン４４７は、Ｄ／Ａ変換器１４５、電力増幅回路１３９により移送モータ１０３を駆動して、移送台１０４をディスク１００の内周方向へ移動させる（ステップＳ２）。そして、マイコン４４７は、モータ１０１を回転させる。回転数は、ＤＶＤにおいて内周の情報を再生する場合に規定された回転数とする（ステップＳ３）。
【０１１３】
　マイコン４４７は、この状態でディスク１００がＤＶＤ、ＣＤ、またはＣＤ−Ｒであるかの判別を行う（ステップＳ４）。このディスク判別の方法については後述する。
【０１１４】
　ここで、判別の処理が終了した時点での集束レンズ１７０の位置が、フォーカシング制御が正常に動作している場合の位置よりディスク１００に近づいた位置になるように、上記判別の方式は構成されている。
【０１１５】
　以下では、ディスク１００がＤＶＤの場合の動作を説明する。
　マイコン４４７は、判別の処理で測定した値ＡＳ１Ｌｐ（ｐは“ピーク”を意味する）に基づいて増幅器４５３の増幅率を設定する（ステップＳ５）。次に、Ｄ／Ａ変換器１４１により加算器１３２，及び電力増幅回路１３３を介して集束レンズ１７０を徐々に下げながら、そのとき検出されるＦＥ信号を増幅器４５３で増幅し、Ａ／Ｄ変換器１４０でＡ／Ｄ変換したその出力値に基づいて、ＦＥ信号が最初にゼロクロスしたタイミングを検出する（ステップＳ６）。このゼロクロスしたタイミングを検出すると、Ｄ／Ａ変換器１４１の出力値を零にするとともに、スイッチ１３１を閉じて、フォーカシング制御を動作させる（ステップＳ６）。なお、上記のＡＳ１Ｌｐについては後述する。
【０１１６】
　以下では、ディスク１００がＣＤの場合の動作を説明する。
　マイコン４４７は、ＤＶＤの場合と同様に、判別の処理で測定した値ＡＳ１Ｌｐに基づいて、増幅器４５３の増幅率を設定する（ステップＳ７）。また、モータ１０１の回転数を、ＣＤの内周を再生する場合の回転数に設定する。
【０１１７】
　次に、集束レンズ１７０を一旦下げた（ステップＳ８）後に、徐々に上げながら、Ａ／Ｄ変換器１４０の出力値に基づいてＦＥ信号が最初にゼロクロスしたタイミングで、かつ、エンベロープ検出回路１４３の出力であるＥＮＶ信号が所定のレベルを越えた最初のタイミングを検出する（ステップＳ９）。このゼロクロスしたタイミングを検出すると、Ｄ／Ａ変換器１４１の出力値を零にするとともに、スイッチ１３１を閉じて、フォーカシング制御を動作させる（ステップＳ９）。
【０１１８】
　集束レンズ１７０の移動方向を、ＣＤとＤＶＤで変える理由は上述しているとおりである。従って、ＤＶＤが装置に装填された場合には、集束レンズ１７０を一旦下げるという動作が不要なので、ＣＤが装填された場合に比べ短時間に信号の再生を開始できる。従って、ＤＶＤがＣＤに比べ頻繁に装填される場合には、平均すると、短時間に信号の再生が開始できるという長所を有することとなる。
【０１１９】
　ディスクがＣＤ−Ｒである場合は、モータ１１８を駆動してトレイ１４９を移動し、ディスク１００を排出する（ステップＳ１０）。
【０１２０】
　次に、上記で後述するとしている，マイコン４４７が行うディスク判別の方式について説明する。
【０１２１】
　図１３に集束レンズ１７０を一旦下げた後に、徐々に上げていく場合のＦＥ信号，ＥＮＶ信号，ＡＳ１Ｌ信号，ＡＳＬ信号，及び、ＥＮＶ信号のレベルをＡＳ１Ｌ信号のレベルで除算したＥＮＶ／ＡＳＬの値を示す。縦軸は信号のレベルを示し、横軸は時間を示す。
【０１２２】
　図１３(a)に１層式ＤＶＤの場合、図１３(b)に２層式ＤＶＤの場合、図１３(c)にＣＤの場合を示す。
【０１２３】
　ＥＮＶ信号，及びＡＳ１Ｌ信号は、ＣＤ用焦点ＦCDと、ＤＶＤ用焦点ＦDVDによって信号が変化する。また、ＦＥ信号には、上記各焦点ＦCD，ＦDVDが情報面を通過する際に、一般にＳ字カーブと呼ばれるレベルの変化が起こる。
【０１２４】
　実験によれば、ＥＮＶ／ＡＳＬの値が最大になる状態は、ＤＶＤの場合は、ＤＶＤ用焦点ＦDVDが情報面と一致した状態である。この理由を説明する。ＡＳＬ信号は反射光量の低周波成分であるので、ＥＮＶ／ＡＳＬは、ディスクに照射された光ビームがディスク上のピットによって変調される割合を示している。従って、装填されたディスクに好適な焦点がディスクの情報面に位置する状態が、効率的にディスクの情報が再生される状態であるので、ＤＶＤの場合は、ＤＶＤ用焦点ＦDVDが情報面と一致した状態でＥＮＶ／ＡＳＬは最大となる。１層式ＤＶＤでは、図１３(a)の波形の時間ｔ３１で、ＥＮＶ／ＡＳＬは最大になる。２層式ＤＶＤでは、ＤＶＤ用焦点ＦDVDが２つの情報面とそれぞれ一致した，図１３(b)の波形の時間ｔ３２，ｔ３３で、ＥＮＶ／ＡＳＬの値がほぼ等しく、かつ最大となる。ＣＤの場合は、ＣＤ用焦点ＦCDと情報面が一致した，図１３(c)の波形の時間ｔ３０で、ＥＮＶ／ＡＳＬは最大値になる。
【０１２５】
　なお、本実施の形態４では、ＥＮＶ信号を光検出器４１１の全ての受光面Ａ，Ｂ，Ｃ，Ｄ，Ｅで受光される光量ＡＳＬより求めるとしたが、これは受光面Ａ，Ｂ，Ｃ，Ｄで受光される光量ＡＳ１Ｌより求めても同様な結果が得られる。また、ＥＮＶの値をＡＳＬの値で除算しているが、ＡＳＬの代わりにＡＳ１Ｌを用いてもよく、同様な結果が得られる。
【０１２６】
　このような状況において、ＥＮＶ／ＡＳＬが最大値になる状態において、ＡＳ１Ｌのレベルを、ＡＳＬのレベルからＡＳ１Ｌのレベルを引いた波形であるＡＳ２Ｌのレベル，で除算したＡＳ１Ｌ／ＡＳ２Ｌの値は、１層式ＤＶＤの値が、２層式ＤＶＤの値，およびＣＤの値より大きい。即ち、１層式ＤＶＤでは、光検出器４１１の中心部の光ビームの強度が高くなる。
【０１２７】
　以下、その理由について、図２４を用いて説明する。
　図２４は、本実施の形態４における，ディスク１００が１層式ＤＶＤ，２層式ＤＶＤ，及びＣＤ、のそれぞれの場合の，ＥＮＶ／ＡＳＬが最大になる状態を示している。図２４(a)がＤＶＤ用焦点ＦDVD及びＣＤ用焦点ＦCD　と情報面との位置関係を示し、図２４(b)は光検出器４１１へのディスク１００の情報面からの反射ビームを示す。
【０１２８】
　まず、１層式ＤＶＤの場合について説明する。１層式ＤＶＤの場合にＥＮＶ／ＡＳＬが最大になるのは、情報面とＤＶＤ用焦点ＦDVDとが一致したときである。情報面からの反射ビームは、検出レンズ１１３で絞られて円筒レンズ１１６を介して光検出器４１１に入射する。従って、ＤＶＤ用ビームの反射ビームＲＢDVDは、光検出器４１１の中心に焦点を結ぶ。ＣＤ用ビームの反射光ＲＢCDは、ＣＤ用焦点ＦCDが情報面上にないので、光検出器４１１の全体に入射し、全体がぼやっとした明るさとなる。
【０１２９】
　次に、２層式ＤＶＤの場合について説明する。２層式ＤＶＤの場合にＥＮＶ／ＡＳＬが最大になるのは、第１の情報面，または第２の情報面と、ＤＶＤ用焦点ＦDVDとが一致したときである。図では、第１の情報面とＤＶＤ用焦点ＦDVDとが一致した場合を示している。なお、第１の情報面とＤＶＤ用焦点ＦDVDとが一致した時のＡＳ１Ｌ／ＡＳ２Ｌと、第２の情報面とＤＶＤ用焦点ＦDVDとが一致したときのＡＳ１Ｌ／ＡＳ２Ｌとは、ほぼ同じ値になるものである。
【０１３０】
　この２層式ＤＶＤの場合には、ＤＶＤ用ビームの第１の情報面からの反射ビームＲＢDVD1は、光検出器４１１の中心に焦点を結ぶ。第１の情報面を透過したＤＶＤ用ビームとＣＤ用ビームは、ともに第２の情報面で反射されてそれぞれ反射ビームＲＢDVD2,及び反射ビームＲＢCDとなり、光検出器４１１の全体に入射する。この理由は、ＣＤ用ビームの焦点ＦCDと、第１の情報面を透過したＤＶＤ用ビームの焦点ＦDVDが、情報面と一致していないためである。
【０１３１】
　１層式ＤＶＤの情報面の反射率は、２層式ＤＶＤの情報面の反射率に比べて高いので、１層式ＤＶＤの場合の光検出器４１１の内側の受光量（反射ビームＲＢDVDによる）は、２層式ＤＶＤの場合の光検出器４１１の内側の受光量（反射ビームＲＢDVD1による）に比べて高くなる。２層式ＤＶＤの場合、光検出器４１１の外側にＤＶＤビームの第２の情報面からの反射ビームＲＢDVD2が入射し、さらにこれにＣＤビームの第１，及び第２の情報面からの反射ビームＲＢCD1,2が加わるので、２層式ＤＶＤの場合の光検出器４１１の外側の受光量は、１層式ＤＶＤの場合の光検出器４１１の外側の受光量（反射ビームＲＢCDによる）に比べて大きくなる。従って、上述したように、ＡＳ１Ｌ／ＡＳ２Ｌの値は、１層式ＤＶＤの値のほうが、２層式ＤＶＤの値より大きくなる。
【０１３２】
　さらに、ＣＤの場合について説明する。ＣＤの場合にＥＮＶ／ＡＳＬが最大になるのは、情報面とＣＤ用焦点ＦCDとが一致したときである。従って、ＣＤ用ビームの反射ビームＲＢCDは、光検出器４１１の中心に焦点を結ぶ。ＤＶＤ用ビームの反射光ＲＢDVDは、ＤＶＤ用焦点ＦDVDが情報面上にないので、光検出器４１１の全体に入射する。
【０１３３】
　ＤＶＤ用焦点ＦDVDの強度は、ＣＤ用焦点ＦCDの強度に比べ高いので、１層式ＤＶＤの場合の光検出器４１１の内側の受光量（反射ビームＲＢDVDによる）は、ＣＤの場合の光検出器４１１の内側の受光量（ＣＤ用ビームの反射ビームＲＢCDによる）に比べ大きくなる。ＣＤの場合、光検出器４１１の外側にＤＶＤ用ビームの反射ビームＲＢDVDが入射するので、ＣＤの場合の光検出器４１１の外側の受光量は、１層式ＤＶＤの場合の光検出器４１１の外側の受光量（反射ビームＲＢCDによる）に比べ大きくなる。
【０１３４】
　従って上述したように、ＡＳ１Ｌ／ＡＳ２Ｌの値は、１層式ＤＶＤの値が、ＣＤの値より大きくなる。
　実験によれば、１層式ＤＶＤのＡＳ１Ｌ／ＡＳ２Ｌの値は、２層式ＤＶＤ，ＣＤのそれぞれの場合のＡＳ１Ｌ／ＡＳ２Ｌの約１．５倍となる。また、ＥＮＶ／ＡＳＬが最大値になる状態でのＥＮＶ信号のレベルＥＮＶｐは、上述したように１層式ＤＶＤにおけるそのレベルの値の方が、２層式ＤＶＤ，及びＣＤのそれぞれにおけるそのレベルの値より大きい。なお、標準の反射率のディスクの場合、ＡＳＬの最大値ＡＳＬｍａｘは、ディスクによらず、１層式ＤＶＤ，２層式ＤＶＤ，及びＣＤでほぼ等しくなる。
【０１３５】
　以下、１層式ＤＶＤを判別する方式を説明する。
　集束レンズ１７０をディスクの情報面に垂直な方向に移動させながら、ＥＮＶ／ＡＳＬを計算し、この値が最大値になるタイミングでのＡＳ１Ｌｐ，ＡＳ２Ｌｐ，ＡＳＬｐ，及びＥＮＶｐ、を記憶しておく。また、集束レンズ１７０を移動させた全期間でのＡＳＬの最大値ＡＳＬｍａｘを測定する。以上の値より、次式に従って値Ｙを計算する。
　　　Ｙ＝（ＥＮＶｐ／ＡＳＬｍａｘ）×ＡＳ１Ｌｐ／ＡＳ２Ｌｐ
【０１３６】
　このＹの値は、１層式ＤＶＤの値が、２層式ＤＶＤ，およびＣＤの値に比べ非常に大きくなる。実験では、１層式ＤＶＤの値は、２層式ＤＶＤ，及びＣＤの値の約４倍である。従って、１層式ＤＶＤの値と、２層式ＤＶＤ，及びＣＤの値の中間の値Ｆ、を予め計算しておき、これをＹと比較することで、ディスクを１層式ＤＶＤであると判別することができる。このとき、ＡＳＬｍａｘを用いていることにより、ディスクの反射率等のバラツキがあっても、値Ｙは影響を受けることがない。
【０１３７】
　なお、本実施の形態４では、上述の値Ｙを用いて判別するとしたが、上述した理由により、次式の値Ｙ２を用いても判別することができる。
　　　Ｙ２＝ＡＳ１Ｌｐ／ＡＳ２Ｌｐ
【０１３８】
　また、ディスクの反射率のばらつきが小さい場合には、次式の値Ｙ３を用いて判別することもできる。
　　　Ｙ３＝ＥＮＶｐ×ＡＳ１Ｌｐ／ＡＳ２Ｌｐ
【０１３９】
　また、本実施の形態４による装置では、１層式ＤＶＤと、２層式ＤＶＤと、ＣＤとを再生できるとしたが、１層式ＤＶＤと，ＣＤの２種類のディスクを対象とする装置の場合には、１層式ＤＶＤと，ＣＤとを上述のＹの値により判別することができる。即ち、基材厚の薄いディスクと厚いディスクとを、判別することができる。
【０１４０】
　以下、２層式ＤＶＤとＣＤとを区別する方式を説明する。
　集束レンズ１７０をディスクの情報面に垂直な方向に移動させながら、ＥＮＶ／ＡＳＬを計算し、この値が最大値になるタイミングでのＡＳＬの値ＡＳＬｐを測定する。また、集束レンズ１７０を移動させた全期間でのＡＳＬの最大値ＡＳＬｍａｘを測定する。以上の値より、次式に従って値Ｚを計算する。
　　　Ｚ＝ＡＳＬｐ／ＡＳＬｍａｘ
【０１４１】
　このＺの値は、２層式ＤＶＤの値の方が、ＣＤの値に比べ大きくなる。
　これは、２層式ＤＶＤでは、ＤＶＤ用焦点ＦDVDが第１層情報面と一致した場合に、第１層を透過して第２層で反射した光ビームも、ほぼ光検出器４１１に入射するためである。これは、第１層と第２層との間隔が、約４０μｍと短いためである。ＤＶＤ用焦点ＦDVDが第２層と一致した場合も同様である。
【０１４２】
　また、ＣＤにおいて、ＤＶＤ用焦点ＦDVDが情報面と一致した場合には、ＤＶＤ用焦点ＦDVDの光ビームが情報面で反射し、光検出器４１１にほぼ全部が入射する。この状態でＡＳＬが最大値になる。これは、ＣＤ用焦点ＦCDに比べＤＶＤ用焦点ＦDVDの光量が大きいためである。また、ＣＤにおいて、ＣＤ用焦点ＦCDが情報面と一致した場合に、ＤＶＤ用焦点ＦDVDの光ビームが情報面で反射し迷光となり、光検出器４１１をはみ出してしまう。これは、ＣＤ用焦点ＦCDとＤＶＤ用焦点ＦDVDの距離が約３００μｍあるためである。従って、ＤＶＤ用焦点ＦDVDが情報面と一致した場合に比べ、ＡＳＬのレベルは低くなる。
【０１４３】
　実験によれば、２層式ＤＶＤのＺの値は約１で、ＣＤの値は約０．５である。
　従って、２層式ＤＶＤとＣＤの値の中間の値Ｇを予め計算しておき、これをＺと比較することで、２層式ＤＶＤとＣＤとを区別することができる。
【０１４４】
　なお、１層式ＤＶＤの場合は、ＣＤ用焦点ＦCDに比べＤＶＤ用焦点ＦDVDの光量が大きいので、ＣＤ用焦点ＦCDの反射光が光検出器４１１をはみ出してもＡＳＬｐの値はほとんど影響を受けない。従って、Ｚの値はほぼ１になる。本実施の形態４の上記の説明では、Ｚの値を用いて２層式ＤＶＤとＣＤとを区別するとしたが、１層式ＤＶＤとＣＤとを区別することもできる。即ち、基材厚の薄いディスクと厚いディスクを、Ｚの値で判別することができる。
【０１４５】
　上述した判別におけるマイコン４４７の動作を、図１４および図１５のフローチャートを用いて説明する。
【０１４６】
　マイコン４４７は変数ＦＯＤＡにＬｍａｘを代入する（ステップＳ１１）。そして、変数ＦＯＤＡの値をＤ／Ａ変換器１４１に設定する（ステップＳ１２）。
【０１４７】
　これにより、集束レンズ１７０は上に移動する。ここで、Ｌｍａｘは、ＣＤ用焦点ＦCD，及びＤＶＤ用焦点ＦDVDがディスクの情報面より上に位置する値とする。次に、点ａの後の動作であるが、ＡＳ１Ｌｐ，ＡＳ２Ｌｐ，ＡＳＬｐ，ＥＮＶｐ，ＡＳＬｍａｘ，及びＱｍａｘの各変数をクリアする（ステップＳ１３）。そして、点ｂ以降の動作として、変数ＦＯＤＡからＳを引いた値を、変数ＦＯＤＡに代入する（ステップＳ１４）。この変数ＦＯＤＡの値はＤ／Ａ変換器１４１に設定される（ステップＳ１５）。ここで、ＳはＬｍａｘに比べ非常に小さく、かつ正とする。従って、Ｄ／Ａ変換器１４１の出力値は小さくなり、加算器１３２，電力増幅回路１３３を介して、集束レンズ１７０は下方向に微少に移動する。
【０１４８】
　この状態でマイコン４４７はＥＮＶ／ＡＳＬを計算し、これを変数Ｑに代入する（ステップＳ１６）。そして、マイコン４４７は、変数Ｑｍａｘと変数Ｑの値を比較して（ステップＳ１７）、変数Ｑｍａｘが小さい場合には変数Ｑの値を変数Ｑｍａｘに代入する（ステップＳ１８）。また、マイコン４４７は、ＡＳ２Ｌの値を変数ＡＳ２Ｌｐに代入し、同様に、ＡＳ１Ｌの値をＡＳ１Ｌｐに、ＥＮＶの値を変数ＥＮＶｐにそれぞれ代入する（ステップＳ１９）。次に、マイコン４４７は、変数ＡＳＬｍａｘの値とＡＳＬの値とを比較して（ステップＳ２０）、変数ＡＳＬｍａｘの値が小さい場合には、ＡＳＬの値を変数ＡＳＬｍａｘに代入する（ステップＳ２１）。
【０１４９】
　次に、変数ＦＯＤＡの値がＬｍｉｎより大きい場合（ステップＳ２２の判断でＮＯ）には点ｂに戻る。変数ＦＯＤＡの値がＬｍｉｎより小さい場合（ステップＳ２２の判断でＹＥＳ）に、次の点ｃ以降の動作に移る。Ｌｍｉｎは、ＣＤ用焦点ＦCD，及びＤＶＤ用焦点ＦDVDがディスクの情報面より下に位置する値とする。
【０１５０】
　点ａから点ｃまでの動作によって、ＣＤ用焦点ＦCD，及びＤＶＤ用焦点ＦDVDがディスクの情報面を１回通過する。点ｃ以降の処理を図１５に示す。
【０１５１】
　点ｃから点ｄの処理は、上述した点ｂから点ｃの処理とほぼ同様であり、異なる点は、変数ＦＯＤＡにＳを加算した値を変数ＦＯＤＡに代入する点（ステップＳ１１ａ），ステップＳ１２から直接ステップＳ１６に移る点，及び変数ＦＯＤＡの値がＬｍａｘより大きくなった時点（ステップＳ２２ａでＹＥＳ）で処理を終了する点である。点ｃから点ｄまでの動作によって、ＣＤ用焦点ＦCD，及びＤＶＤ用焦点ＦDVDがディスクの情報面を１回通過する。従って、点ａから点ｄの処理によってＣＤ用焦点ＦCD，及びＤＶＤ用焦点ＦDVDがディスクの情報面を２回通過する。これによって、ＥＮＶ／ＡＳＬが最大となるタイミングを正確に検出できる。また、点ｂから点ｄの期間に、マイコン４４７は、Ｄ／Ａ変換器４５５を介して加算器４５４に正弦波を出力し、これが位相補償回路１３５，及び電力増幅回路１３６を介して集束レンズ１７０に加えられる。これによって、集束レンズ１７０はトラックと直交する方向に振動する。これにより、焦点がトラックとトラックの中間に常時位置することを防止できるので、トラックに記録された情報が再生されやすくなり、ＥＮＶ信号の正確なレベルを測定することができる。
【０１５２】
　図１６に、上記動作によるディスクの判別を行う間における集束レンズ１７０の位置の変化を示す。図中、横軸が時間を示し、縦軸がレンズの位置を示し、その正の方向がディスク１００に近いことを示す。図１４，及び図１５に示した点ａ，ｃ，ｄが図１６の点ａ，点ｃ，点ｄにそれぞれ対応する。判別の処理が終了した時点で、集束レンズ１７０は上に位置している。ディスクがＤＶＤである場合には、集束レンズ１７０を徐々に下げながら、最初のＦＥ信号のゼロクロスを検出してフォーカシング制御を動作させる。ＣＤの場合には、集束レンズ１７０を下げて、その後徐々に上げながら、最初のＦＥ信号のゼロクロスを検出してフォーカシング制御を動作させる。
【０１５３】
　従って、ＤＶＤが装置に装填された場合には、ＣＤが装填された場合に比べ、ディスクの判別の処理の後、短時間に信号を再生できる。
【０１５４】
　次に、ＡＳ１Ｌｐの値に基づいて、増幅器４５３の増幅率を設定することについて説明する。この増幅率の設定は、フォーカシング制御を動作させるタイミングの検出を、正確にするために行うものである。まず、フォーカシング制御を動作させるタイミングを、図１７を用いて説明する。
【０１５５】
　図１７は１層式ＤＶＤの場合のＦＥ信号を示す。横軸が時間を示す。集束レンズ１７０が徐々に下がってＤＶＤ用の焦点ＦDVDが情報面に近づく。ＦＥ信号は、最初負になり、情報面と焦点が一致した時点で零となり、その後に正になる。
【０１５６】
　フォーカシング制御を動作させるタイミングは、情報面と焦点が一致した時点ｆである。そこでＦＥ信号が比較レベルＬｃより大きくなったことを検出する。なお、検出タイミングの遅れを少なくするためには、比較レベルＬｃを零レベルＬｚに近づける必要がある。しかしながら、ＦＥ信号にはノイズ等が含まれるため、完全に零レベルにすることはできない。
【０１５７】
　従って、比較レベルＬｃとは零レベルＬｚではない。図１７では、時点ｆのタイミングがフォーカス制御を動作させるタイミングになる。ところで、ＦＥ信号の振幅は、ディスクの情報面の反射率や、ビーム１５０の強度が低下した場合には低下する。比較レベルＬｃが同じでもＦＥ信号の振幅が低下すれば、検出の遅れが大きくなる。最悪の場合、ＦＥ信号の振幅が比較レベルＬｃに達しない場合が生じる。振幅の低下したＦＥ信号を図中に点線で示す。この場合には、フォーカス制御を動作させるタイミングを検出することができない。従って、フォーカシング制御を動作させることができなくなる。
【０１５８】
　ディスクの情報面の反射率や、光ビーム１５０の強度の変化は、焦点が情報面と一致したときの，ＡＳ１Ｌｐ信号のレベルの変化となる。即ち、ディスクの情報面の反射率等が低下すれば、それに比例してＡＳ１Ｌｐ信号のレベルは低下する。従って、情報面と、装置に装填されたディスクに対応する焦点，即ちＤＶＤ用焦点ＦDVD，あるいはＣＤ用焦点ＦCD，とが一致した場合のＡＳ１Ｌｐのレベルに応じて、増幅器４５３の増幅率を設定すれば、ディスクの情報面の反射率等に変化があったとしても、一定の振幅のＦＥ信号が得られる。よってこのようにすることにより、図１７に点線で示したようなＦＥ信号の振幅の低下が発生せず、フォーカシング制御を動作させるタイミングを、正確に，かつ確実に検出することができることとなる。
【０１５９】
　そこで、標準状態でのＦＤ信号の振幅をＨとし、ＡＳ１ＬｐをＪとする。ＦＤ信号が低下した場合のその振幅をＨ／２とする。この場合、ＡＳ１ＬｐはＦＥ信号の振幅に比例するので、ＡＳ１ＬｐはＪ／２となる。マイコン４４７は、ＡＳ１ＬｐがＪ／２であり、標準状態の５０％であるので、増幅器４５３の増幅率を２倍にする。するとこれにより、Ａ／Ｄ変換器１４０に入力されるＦＥ信号の振幅はＨとなり、標準状態と同じになる。よって、フォーカシング制御を動作させるタイミングを確実に検出することができる。
【０１６０】
　本実施の形態４では、ＥＮＶ／ＡＳＬの値が最大になるタイミングが、ＤＶＤ（１層式）の場合は、ＤＶＤ用焦点ＦDVDが情報面と一致したタイミングであり、２層式ＤＶＤでは、ＤＶＤ用焦点ＦDVDが２つの情報面のいずれかと一致したタイミングであり、ＣＤの場合は、ＣＤ用焦点ＦCDと情報面が一致したタイミングであるとした。実験によると、ＥＮＶ／ＡＳ１ＬもＥＮＶ／ＡＳＬの値と同様の特性を示すので、本発明では、ＥＮＶ／ＡＳＬの代わりにＥＮＶ／ＡＳ１Ｌを用いるようにしても良い。また本発明では、ＥＮＶ信号をＡＳ信号より検出するとしたが、これはＡＳ１信号より検出してもよく、同様な特性が得られる。
【０１６１】
　上記実施の形態４では、５個の受光面からなる１つの光検出器４１１を用いて説明を行ったが、光学系の構成を変えれば、２つの光検出器を用いて構成することもできる。２つの光検出器を用いたブロック図を図１８に示す。図１０と同じブロックには同じ番号を付して説明を省略する。図１０のブロック図と異なる点は、光検出器１１１，ハーフミラー６０１，及び光検出器６０２である。これらの光検出器１１１，ハーフミラー６０１，及び光検出器６０２は移送台１０４に取り付けられている。
【０１６２】
　光検出器１１１は、図１０の光検出器４１１の受光面Ｅを取り去り、受光面Ａ，Ｂ，Ｃ，Ｄのみで構成される光検出器である。光検出器６０２は、光検出器４１１の受光面Ａ，Ｂ，Ｃ，Ｄを取り去り、受光面Ｅのみとした光検出器である。
【０１６３】
　図１９(a)に光検出器１１１の、図１９(b)に光検出器６０２の模式図を、それぞれ示す。なお、図１９(b)の光検出器６０２では、斜線部が受光面である。これらの光検出器１１１，６０２は、光検出器の中心であるＰ点，及びＱ点が、それぞれ入射光の光軸と一致するように取り付けられている。
【０１６４】
　円筒レンズ１１６を通過した光ビームは、ハーフミラー６０１により２つのビームに分けられる。一方の光ビームは、光検出器１１１に入射する。また、他方の光ビームは、光検出器６０２に入射する。光検出器６０２は、ハーフミラー６０１から光検出器６０２までの距離と、ハーフミラー６０１から光検出器１１１までの距離とが等しくなる位置に取り付けられている。従って、Ｉ／Ｖ変換器１１４，１１５，１１９，１２０，及び４５０の入力信号は、図１０に示した構成の場合と同じになる。よって、装置の動作も、図１０の構成と同じになる。
【０１６５】
　以上のように、本実施の形態４による光ディスク装置によれば、基材厚の厚いディスクを再生するための焦点と基材厚の薄いディスクを再生するための焦点の２つの焦点を有する光ヘッドを用いる光ディスク装置において、光検出器４１１によって、中心部の反射光と、周辺部の反射光のそれぞれの強度を検出するようにしたので、その強度の比に基づいて、基材厚の薄いＤＶＤと基材厚の厚いＣＤとを判別することができる。
【０１６６】
　また、ＥＮＶ信号が最大値になるときの光検出器４１１の受光量を用いることにより、正確にディスクの判別を行うことができる。
【０１６７】
　また、ＥＮＶ信号をＡＳＬ信号のレベルで除算した値が最大値になるときの光検出器４１１の受光量を用いることにより、ディスク１００の反射率がばらついても正確にディスクの判別をすることができる。
【０１６８】
　また、光検出器４１１の第１の受光領域の受光量ＡＳ１Ｌｐと、第２の受光領域の受光量ＡＳ２Ｌｐ、及び情報信号の振幅値ＥＮＶｐを測定し、（ＡＳ１Ｌｐ×ＥＮＶｐ）とＡＳ２Ｌｐとの比を用いることにより、ディスク判別の精度を向上することができる。
【０１６９】
　また光検出器４１１の第１の受光領域の受光量ＡＳ１Ｌｐ，第２の受光領域の受光量ＡＳ２Ｌｐ，情報信号の振幅値ＥＮＶｐ，及びＡＳＬｍａｘを測定し、ＡＳ１Ｌｐ×ＥＮＶｐとＡＳ２Ｌｐ×ＡＳＬｍａｘとの比を用いることにより、ディスクの反射率がばらついても正確にディスクの判別を行うことができる。
【０１７０】
　また、図１０の光検出器４１１を、図１８に示す光検出器１１１、及び光検出器６０２で構成した場合にも、上記と同様な効果を得ることができる。
【０１７１】
　また、本実施の形態４によれば、基材厚の厚いディスクを再生するための焦点と基材厚の薄いディスクを再生するための焦点の２つの焦点を有する光ヘッドを用いる光ディスク装置において、光検出器４１１によって中心部の反射光と、周辺部の反射光の強度を検出することにより、その強度の比に基づいて、１つの情報面を有するディスクと、２つの情報面を有するディスクとを判別することができる。
【０１７２】
　また、ＥＮＶ信号が最大値になるときの光検出器４１１の受光量を用いることにより、正確にディスクの判別をすることができる。
【０１７３】
　また、ＥＮＶ信号をＡＳＬ信号のレベルで除算した値が最大になるときの光検出器４１１の受光量を用いることにより、ディスク１００の反射率がばらついても正確にディスクの判別をすることができる。
【０１７４】
　また光検出器４１１の第１の受光領域の受光量ＡＳ１Ｌｐと、第２の受光領域の受光量ＡＳ２Ｌｐ、及び情報信号の振幅値ＥＮＶｐを測定し、ＡＳ１Ｌｐ×ＥＮＶｐとＡＳ２Ｌｐとの比を用いることにより、ディスク判別の精度を向上することができる。
【０１７５】
　また、光検出器４１１の第１の受光領域の受光量ＡＳ１Ｌｐと、第２の受光領域の受光量ＡＳ２ｌｐ、情報信号の振幅値ＥＮＶｐ、及びＡＳＬｍａｘを測定し、ＡＳ１Ｌｐ×ＥＮＶｐとＡＳ２Ｌｐ×ＡＳＬｍａｘとの比を用いるようにしたので、ディスクの反射率がばらついても、正確にディスクの判別を行うことができる。
【０１７６】
　なお、図１０の光検出器４１１を、図１８に示す光検出器１１１，及び光検出器６０２で構成した場合にも、上記と同様な効果が得られる。
【０１７７】
　また、本実施の形態４によれば、基材厚の厚いディスクを再生するための焦点と基材厚の薄いディスクを再生するための焦点の２つの焦点を有する光ヘッド装置において、装填されたディスク１００に好適な焦点が情報面付近にあるときの受光量ＡＳＬｐと、焦点を移動させた際の受光量の最大値ＡＳＬｍａｘとを測定し、ＡＳＬｐとＡＳＬｍａｘの比を求めるようにしたので、この比に基づいて、基材厚の厚いディスクと基材厚の薄いディスクとを判別することができる。
【０１７８】
　また、ＥＮＶ信号をＡＳＬ信号のレベルで除算した値が最大になるときの光検出器４１１の受光量を用いることにより、ディスク１００の反射率がばらついても、好適な焦点が情報面付近にあることを、正確に検出することができる。
【０１７９】
　また、本実施の形態４によれば、基材厚の厚いディスクを再生するための焦点と基材厚の薄いディスクを再生するための焦点の２つの焦点を有する光ヘッドを用いる光ディスク装置において、装填されたディスク１００に対して好適な焦点が情報面付近にあることを光検出器４１１の出力より検出したとき、受光量ＡＳ１Ｌｐの値に応じてフォーカシング制御手段における，焦点ずれ検出信号を増幅する増幅率が可変な増幅器４５３の増幅率を変えるようにしたので、ディスクの反射率がばらついても、ＦＥ信号の振幅が一定となり、フォーカシング制御を動作させるタイミングを正確なものにすることができる。
【０１８０】
　また、増幅器４５３の増幅率を変えた後に、増幅器４５３の出力信号が所定のレベルに達したタイミングでフォーカシング制御を動作させるようにしたので、ノイズ等によって間違ったタイミングでフォーカシング制御を動作させてしまうということがない。
【０１８１】
　また、ＥＮＶ信号をＡＳＬ信号のレベルで除算した値が最大になるときの光検出器４１１の受光量を用いることにより、ディスク１００の反射率がばらついても、好適な焦点が情報面付近にあることを正確なタイミングで検出することができる。
【０１８２】
　また、本実施の形態４によれば、基材厚の厚いディスクを再生するための焦点と基材厚の薄いディスクを再生するための焦点の２つの焦点が、情報面をそれぞれ２回通過するように構成したので、ディスク１００からの反射光量を正確に検出することができる。
【０１８３】
　実施の形態５．
　次に、本発明の実施の形態５について説明する。
【０１８４】
　図２０に本発明の実施の形態５による光ディスク装置のブロック図を示す。実施の形態３と同じブロックには同じ番号を付して説明を省略する。上記実施の形態３と異なるものは、信号処理回路５００、マイコン５４７である。
【０１８５】
　信号処理回路５００は、加算器１４８の出力信号ＡＳ１よりディスク１００に記録された情報を再生し、ディジタルデータに変換してマイコン５４７に送る。
なお、信号処理回路５００は、ＣＤとＤＶＤの情報を再生できる。動作の切り換えは、マイコン５４７の指令で行われる。
【０１８６】
　図２０に示した装置の動作を、図２１(a)，(b)に示した波形を用いて説明する。図２１(a)の波形は、集束レンズ１７０の位置を示す。図２１(b)の波形は、差動増幅器１１７の出力信号であるＦＥ信号を示す。
【０１８７】
　図２０において、マイコン５４７は、ディスク１００がトレイ１４９に載せられると、モータ１１８を駆動してディスク１００をモータ１０１の回転軸１０２に取り付ける。次に移送台１０４をディスク１００の内周に移動させる。そして、マイコン５４７はモータ１０１を回転させる。モータ１０１の回転数は、ＣＤでの内周の回転数に設定する。マイコン５４７は、図２１(a)の波形のｔ２１０に示すように、Ｄ／Ａ変換器１４１に値を設定して集束レンズ１７０を一旦下げる。そしてその後、徐々に上げる。このとき、スイッチ１３１，１３４は開いておく。ここで、Ｄ／Ａ変換器１４１の出力信号は、加算回路１３２，電力増幅器１３３を介して、アクチュエータ１７２に送られるので、Ｄ／Ａ変換器１４１の出力信号のレベルは、集束レンズ１７０の位置に対応するものである。
【０１８８】
　集束レンズ１７０を徐々に上げていきながら、ＥＮＶ信号が所定のレベルを越え、かつＦＥ信号が最初にゼロクロスしたタイミングでスイッチ１３１を閉じてフォーカシング制御を動作させる。図２１(b)の波形のｔ２１１のタイミングである。上記実施の形態３で説明したように、ディスク１００がＣＤの場合には、このフォーカシング制御を動作させたタイミングが、ＣＤ用焦点ＦCDがディスクの情報面に位置するタイミングである。従ってＣＤ用の焦点ＦCDがＣＤの情報面に位置するようにフォーカシング制御される。そして、マイコン５４７はスイッチ１３４を閉じてトラッキング制御を動作させる。また、マイコン５４７は信号処理回路５００を、ＣＤの情報を再生する動作状態に切り換える。従って信号処理回路５００は、ディスク１００に記録された情報を再生してマイコン５４７に送る。なお、図２１(a)，(b)において、点線で示した波形はフォーカシング制御を動作させなかった場合の波形である。即ち、実施の形態３で説明したような波形である。
【０１８９】
　さらに、上記信号処理回路５００について、図２１(c)及び図２１(d)を用いて説明する。
　図２１(c)は上記信号処理回路５００のブロック図を示し、入力端子６０１は加算器１４８に接続されており、ＡＳ１信号が入力される。出力端子６０５はマイコン５４７に接続されている。ＣＤ用情報再生回路６０２は、ＣＤの情報を再生するための回路である。ＤＶＤ用情報再生回路６０３は、ＤＶＤの情報を再生するための回路である。スイッチ６０６は、コントロール端子ｄのレベルに基づいて端子ａまたは端子ｂの信号を切り換えて端子ｃに出力する。入力端子６０４は、スイッチ６０６のコントロール端子ｄに接続されている。
【０１９０】
　図２１(d)は、上記ＣＤ用情報再生回路６０２のブロック図を示し、入力端子７０４には、ＡＳ１信号が入力される。出力端子７０５はスイッチ６０６に接続されている。ハイパスフィルタ７００は、低い周波数成分を除去する。コンパレータ７０１は、入力信号のレベルが零レベルより高いときにハイレベルの信号を出力し、入力信号のレベルが零レベルより低いときにローレベルの信号を出力する。周期パターン検出回路７０６は、フレームの先頭にある周期パターンを検出する。ここでフレームとは、ＣＤの信号フォーマットにおけるフレームである。
【０１９１】
　変換回路７０２は、１７ビットのデータが入力される毎に８ビットのデータに変換して出力する。入力信号のデータを１７ビットのデータに分割するための基準のタイミングは、周期パターン検出回路７０６の出力信号に基づいたタイミングとする。この変換は、ＣＤ方式の変調法であるＥＦＭ（eight-to-fourteen modulation）に基づいた変換テーブルに従って行われる。ＥＦＭでは、１７ビットの内の１４ビットのデータが情報を持っており、その１４ビットのデータが取り得る値は、２５６通りに制限されている。従って、変換テーブルは２５６種類の入力データをそれに対応する８ビットのデータに変換する。変換回路７０２の出力信号は、エラー訂正回路７０３に送られる。エラー訂正回路７０３は、ＣＤ方式の誤り訂正を実行する。
【０１９２】
　今、ＣＤ用の焦点ＦCDがＣＤの情報面に位置しているので、変換回路７０２に入力されるデータは、変換テーブルにおける２５６種類のうちの１つのデータとなる。従って、入力データは正しく変換される。よって、ディスク１００に記録された情報が再生される。
【０１９３】
　次に、ディスク１００がＤＶＤである場合の動作を説明する。フォーカシング制御を動作させたタイミングは、ディスクがＤＶＤであるにもかかわらず、ＣＤ用焦点ＦCDがディスクの情報面に位置するタイミングとなる。従って、ＣＤ用の焦点ＦCDが情報面に位置するようにフォーカシング制御される。そして、マイコン５４７は、スイッチ１３４を閉じてトラッキング制御を動作させる。またマイコン５４７は、信号処理回路５００をＣＤの情報を再生する動作状態に切り換える。
【０１９４】
　しかしながら、ＣＤ方式の変調法はＤＶＤの変調法と異なる。このために、信号処理回路５００の中の変換回路７０２に入力されるデータは、変換テーブルにおける２５６種類のデータと異なる。よって、変換回路７０２はデータを出力しない。従って、エラー訂正回路７０３が動作しないので、マイコン５４７に情報を送ることができない。
【０１９５】
　マイコン５４７は、信号処理回路５００から情報が送られていないことを知ると、ディスク１００がＤＶＤであると判断する。そして、スイッチ１３１，１３４を開いてフォーカシング制御，及びトラッキング制御を不動作状態にする。以降の動作を、図２２(a)，(b)に示した波形を用いて説明する。図２２(a)の波形は、集束レンズ１７０の位置を示す。図２２(b)の波形は、差動増幅器１１７の出力信号であるＦＥ信号を示す。
【０１９６】
　マイコン５４７は、上述のように、モータ１０１の回転数を、ＤＶＤでの内周の回転数に設定する。そして、図２２(a)の波形のｔ３１０に示すように、Ｄ／Ａ変換器１４１に値を設定して集束レンズ１７０をディスク１００に一旦近づける。その後、集束レンズ１７０を徐々に下げながら、ＦＥ信号が最初にゼロクロスしたタイミングでスイッチ１３１を閉じてフォーカシング制御を動作させる。
【０１９７】
　図２２(b)の波形のｔ３１１のタイミングである。上記実施の形態３で説明したように、ディスク１００がＤＶＤの場合は、このフォーカシング制御を動作させたタイミングが、ＤＶＤ用焦点ＦDVDがディスクの情報面に位置するタイミングである。そして、マイコン５４７は、スイッチ１３４を閉じてトラッキング制御を動作させる。また、マイコン５４７は、信号処理回路５００をＤＶＤの情報を再生する動作状態に切り換える。従って、信号処理回路５００は、ディスク１００に記録された情報を再生して、マイコン５４７に送る。なお、図２２に示した点線の波形は、フォーカシング制御を動作させなかった場合の波形である。即ち実施の形態３で説明した様な波形である。
【０１９８】
　本実施の形態５では、マイコン５４７は、最初にディスク１００がＣＤであるとして動作を開始するとしたが、最初にディスク１００がＤＶＤであるとして動作を開始してもよい。この場合、モータ１０１の回転数を、ＤＶＤでの内周の回転数に設定する。そして、集束レンズ１７０を一旦上げた後に、徐々に下げながら、ＦＥ信号が最初にゼロクロスしたタイミングでフォーカシング制御を動作させ、かつトラッキング制御を動作させる。信号処理回路５００は、ＤＶＤの情報を再生する動作状態に設定しておく。情報が再生できない場合は、フォーカシング制御，及びトラッキング制御を不動作状態とする。そして、ディスク１００がＣＤであると判断して、モータ１０１の回転数をＣＤでの内周の回転数に設定する。マイコン５４７は、集束レンズ１７０を一旦下げた後に、徐々に上げていきながら、ＥＮＶ信号が所定のレベルを越え、かつ、ＦＥ信号が最初にゼロクロスしたタイミングで、フォーカシング制御を動作させ、かつ、トラッキング制御を動作させる。信号処理回路５００は、ＣＤの情報を再生する動作状態に設定しておく。
【０１９９】
　以上のように、本実施の形態５による光ディスク装置によれば、基材厚の厚いディスクを再生するための焦点と基材厚の薄いディスクを再生するための焦点の２つの焦点を有する光ヘッドを用いる光ディスク装置において、不適格な焦点を用いてフォーカシング制御を動作させた場合であっても、信号処理回路５００によって不適格な焦点を用いてフォーカシング制御を動作させたことを検出することができるので、再度好適な焦点でフォーカシング制御を動作させることができる。
【産業上の利用可能性】
【０２００】
　本発明は、例えばＣＤやＤＶＤ等の複数の種類の光ディスクを再生可能な光ディスク装置として利用可能なものであり、特にコンピュータやオーディオビジュアル機器などの光ディスク装置として有用である。
【図面の簡単な説明】
【０２０１】
【図１】本発明の第１の実施の形態による光ディスク装置のブロック図。
【図２】上記第１の実施の形態におけるＦＥ信号、ＡＳ１信号、ＡＳ１Ｌ信号、ＥＮＶ信号、及び焦点Ｆの位置（それぞれ図(a)，(b)，(c)，(d)，及び(e)）を説明するための波形図。
【図３】上記第１の実施の形態におけるディスクの判別を説明するための、ＤＶＤ１，ＤＶＤ２，ＣＤ，ＣＤ−Ｒの各場合（それぞれ図(a)，(b)，(c)，(d)）の、ＥＮＶ信号、ＡＳ１Ｌ信号の波形図。
【図４】本発明の実施の形態２による光ディスク装置のブロック図。
【図５】上記実施の形態２において周期計測回路を用いた場合の光ディスク装置のブロック図。
【図６】本発明の実施の形態３による光ディスク装置のブロック図。
【図７】上記実施の形態３における２焦点を有する光学系の模式図。
【図８】上記実施の形態３における，ＤＶＤ１，ＤＶＤ２，ＣＤの各場合（それぞれ図(a)，(b)，(c)）のＦＥ信号、ＥＮＶ信号を示す波形図。
【図９】上記実施の形態３におけるディスクの判別を説明するための，ＤＶＤ１，ＤＶＤ２，ＣＤ，ＣＤ−Ｒの各場合（それぞれ図(a)，(b)，(c)，(d)）のＥＮＶ信号、ＡＳ１Ｌ信号を示す波形図。
【図１０】本発明の実施の形態４による光ディスク装置のブロック図。
【図１１】上記実施の形態４における光検出器４１１の模式図。
【図１２】上記実施の形態４における装置の動作を示すフローチャート。
【図１３】上記実施の形態４における，ＤＶＤ１，ＤＶＤ２，ＣＤの各場合（それぞれ図(a)，(b)，(c)）のＦＥ信号、ＥＮＶ信号、ＡＳ１Ｌ信号、ＡＳＬ信号、ＥＮＶ／ＡＳ１を示す波形図。
【図１４】上記実施の形態４における判別の動作の前半を示すフローチャート。
【図１５】上記実施の形態４における判別の動作の後半を示すフローチャート。
【図１６】上記実施の形態４における集束レンズ１７０の動きを、ＤＶＤ，ＣＤの各場合（それぞれ図(a)，(b)）について示す波形図。
【図１７】上記実施の形態４における増幅器４５３の動作を説明するための，ＦＥ信号を示す波形図。
【図１８】上記実施の形態４において２つの光検出器を用いた場合の光ディスク装置のブロック図。
【図１９】上記実施の形態４における２つの光検出器の模式図。
【図２０】本発明の実施の形態５による光ディスク装置のブロック図。
【図２１】上記実施の形態５を説明するための集束レンズ１７０の位置，及びＦＥ信号を示す波形図（図(a)，(b)）、及び信号処理回路５００，及びそのＣＤ用情報再生回路を示す回路ブロック図（図(c)，(d)）。
【図２２】上記実施の形態５を説明するための集束レンズ１７０の位置，及びＦＥ信号を示す波形図（(a)，(b)）。
【図２３】上記実施の形態３における，値Ｚとディスク種別の関係，及びこれを用いた判別方法を説明する図。
【図２４】本実施の形態４における，ディスク１００が１層式ＤＶＤ，２層式ＤＶＤ，及びＣＤの場合の、ＥＮＶ／ＡＳＬが最大になる状態における，ＤＶＤ用焦点及びＣＤ用焦点と情報面との位置関係（(a)）、及び光検出器４１１へのディスク１００の情報面からの反射ビーム（(b)）を示す図。
【図２５】従来例におけるＣＤの模式図。
【図２６】一般的な２層式ＤＶＤの模式図。
【符号の説明】
【０２０２】
　１００　ディスク
　１０１　モータ
　１０３　移送モータ
　１０４　移送台
　１０５　レーザ
　１０６　カップリングレンズ
　１０７　偏光ビームスプリッター
　１０８　１／４波長板
　１０９　全反射鏡
　１１０　集束レンズ
　１１１　４分割光検出器
　Ａ，Ｂ，Ｃ，Ｄ　受光面
　１１２　アクチュエータ
　１１４、１１５　Ｉ／Ｖ変換器
　１１７　差動増幅器
　１１８　モータ
　１１９、１２０　Ｉ／Ｖ変換器
　１２１、１２２、１２３、１２４　加算器
　１２５　差動増幅器
　１２６　集束レンズ
　１２７　アクチュエータ
　１２８　モータ
　１２９　レーザ駆動回路
　１３０　位相補償回路
　１３１　スイッチ
　１３２　加算器
　１３３　電力増幅器
　１３４　スイッチ
　１３５　位相補償回路
　１３６　電力増幅器
　１４３　エンベロープ検出回路
　１４７　マイクロコンピュータ
　１４８　加算器
　１５０　光ビーム
　１６５　ローパスフィルタ
　１４２，１４４，１４０　Ａ／Ｄ変換器
　１４９　トレイ
　１６０　バンドパスフィルタ
　１６１　コンパレータ
　１７２　アクチュエータ
　１７０　集束レンズ
　１７１　ホログラム
　４１１　５分割光検出器
　Ｅ　受光面
　４４７　マイコン
　４５０　Ｉ／Ｖ変換器
　４５１　ローパスフィルタ
　４５２，４６１　Ａ／Ｄ変換器
　４５３　増幅率が可変の増幅器
　４５４，４６２　加算器
　４５５　Ｄ／Ａ変換器
　５００　信号処理回路５００
　５４７　マイコン
　６０２　ＣＤ用情報再生回路
　６０３　ＤＶＤ用情報再生回路
　６０６　スイッチ
　７０７　ハイパスフィルタ
　７０１　コンパレータ
　７０６　周期パターン検出回路
　７０２　変換回路
　７０３　エラー訂正回路
【図１】
2004006035.tif 000003
【図２】
2004006035.tif 000004
【図３】
2004006035.tif 000005
【図４】
2004006035.tif 000006
【図５】
2004006035.tif 000007
【図６】
2004006035.tif 000008
【図７】
2004006035.tif 000009
【図８】
2004006035.tif 000010
【図９】
2004006035.tif 000011
【図１０】
2004006035.tif 000012
【図１１】
2004006035.tif 000013
【図１２】
2004006035.tif 000014
【図１３】
2004006035.tif 000015
【図１４】
2004006035.tif 000016
【図１５】
2004006035.tif 000017
【図１６】
2004006035.tif 000018
【図１７】
2004006035.tif 000019
【図１８】
2004006035.tif 000020
【図１９】
2004006035.tif 000021
【図２０】
2004006035.tif 000022
【図２１】
2004006035.tif 000023
【図２２】
2004006035.tif 000024
【図２３】
2004006035.tif 000025
【図２４】
2004006035.tif 000026
【図２５】
2004006035.tif 000027
【図２６】
2004006035.tif 000028